(57)【要約】本発明は、ＥＣＭ関連タンパク質をコードするｃＤＮＡを提供する。また疾患、特に結腸癌と肺癌の診断、治療のためのｃＤＮＡ、断片、相補体、その変異体およびコード化されたタンパク質またはその部分、その抗体の使用をも提供する。さらに本発明は、タンパク質と遺伝形質転換モデル系の生成のための発現ベクターと宿主細胞を提供する。
2004516813.tif 000002
【特許請求の範囲】
【請求項１】
ＳＥＱ ＩＤ ＮＯ：１のアミノ酸配列あるいはｃＤＮＡの相補体を有するタンパク質をコードする核酸配列から成る単離したｃＤＮＡ
【請求項２】
核酸配列から成る単離したｃＤＮＡであり、下記のａ）−ｃ）から選択される。
ａ）ＳＥＱ ＩＤ ＮＯ：２ 及びその相補体
ｂ）ＳＥＱ ＩＤ ＮＯ：３−１３またはその相補体から選択したＳＥＱ ＩＤ ＮＯ：２の断片、そして
Ｃ）ＳＥＱ ＩＤ ＮＯ：１４−１５またはその相補体から選択したＳＥＱ ＩＤ ＮＯ：２の変異体。
【請求項３】
請求項１に記載のｃＤＮＡ及び標識成分を含む化合物。
【請求項４】
請求項１に記載のｃＤＮＡを含むベクター。
【請求項５】
請求項４に記載のベクターを含む宿主細胞。
【請求項６】
タンパク質を産生するｃＤＮＡの使用に関する方法であり、
ａ）タンパク質発現のための条件下で請求項５に記載の宿主細胞を培養する方法、及び
ｂ）宿主細胞株からタンパク質を回収する方法を含む。
【請求項７】
サンプル中の核酸の発現を検出するｃＤＮＡを使用する方法であり、
ａ）少なくとも１つのハイブリダイゼーション複合体を形成する条件下で、請求項３に記載の組成物をサンプル中の核酸に対してハイブリダイズさせる過程を含み、及び
ｂ）ハイブリダイゼーション複合体形成を検出する過程を含み、複合体形成はサンプル中のｃＤＮＡの発現を示すことを特徴とする。
【請求項８】
ハイブリダイゼーション前にサンプル中の核酸の増幅する過程をも含む請求項７に記載の方法。
【請求項９】
組成物が基質に付着することを特徴とする請求項７に記載の方法。
【請求項１０】
複合体形成を少なくとも１つの標準と比較して、示差発現を決定することを特徴とする、請求項７に記載の方法。
【請求項１１】
ｃＤＮＡを用いて複数の分子か化合物をスクリーニングする方法であり、
ａ）特異結合を可能とする条件下で、請求項１に記載のｃＤＮＡと複数の分子あるいは化合物を結合する過程を含み、
ｂ）特異結合の検出および、それによりｃＤＮＡを特異結合する分子あるいは化合物を同定する過程を含む。
【請求項１２】
請求項１１に記載の方法であり、分子または化合物をＤＮＡ分子、ＲＮＡ分子、ペプチド核酸、人工形成の染色体、ペプチド、転写因子、リプレッサー、調節分子から選択することを特徴とする。
【請求項１３】
請求項６に記載の方法で生成された精製されたタンパク質あるいはその部分であり、下記のａ）−ｃ）から選択される。
ａ）ＳＥＱ ＩＤ ＮＯ：１のアミノ酸配列、
ｂ）ＳＥＱ ＩＤ ＮＯ：１の抗原性エピトープであって、
ｃ）ＳＥＱ ＩＤ ＮＯ：１の生物学的活性な部分。．
【請求項１４】
請求項１３に記載のタンパク質及び医薬用担体を含む組成物。
【請求項１５】
複数の分子あるいは化合物をスクリーニングするタンパク質を用いて、少なくとも１つのリガンドを同定する方法であり、下記のａ）−ｂ）を含む。
ａ）特異結合を可能とする条件下で、請求項１３に記載のタンパク質と複数の分子あるいは化合物を結合する過程を含み、
ｂ）特異結合の検出および、それによりタンパク質を特異結合するリガンドを同定する過程を含む。
【請求項１６】
請求項１５に記載の方法であり、分子または化合物をＤＮＡ分子、ＲＮＡ分子、ペプチド核酸、ペプチド、タンパク質、擬態、アゴニスト、アンタゴニスト、抗体、免疫グロブリン、インヒビター、薬剤から選択することを特徴とする。
【請求項１７】
タンパク質を用いて抗体を調製及び精製する方法であり、
ａ）抗体反応を誘発する条件下で、請求項１５に記載のタンパク質で動物を免疫化する過程、
ｂ）動物抗体を単離する過程、
ｃ）前記タンパク質を基質に付着する過程、
ｄ）タンパク質への特異結合を可能にする条件下で、基質と単離した抗体とを接触させる過程、
ｅ）抗体をタンパク質から解離する過程を含み、それによって精製した抗体を得る。
【請求項１８】
請求項１７に記載の方法で産出した抗体。
【請求項１９】
タンパク質の発現と関連する症状または疾患を診断するために抗体を用いる方法であり、
ａ）請求項１８に記載の抗体をサンプルと結合する過程を含む。それにより抗体：タンパク質化合物を形成する。
ｂ） サンプル中のタンパク質の発現を示す比較を特徴とする、化合物形成を標準と比較する過程をも含む。
【請求項２０】
結腸と肺の癌の診断に寄与する発現を特徴とする請求項１９に記載の方法。
【請求項２１】
請求項１８に記載の抗体及び医薬用担体を含む医薬品組成物。
【請求項２２】
癌の治療が必要な患者に請求項２１の組成物を有効量投与することを含むことを特徴とする癌の治療方法。
【請求項２３】
癌が結腸癌であることを特徴とする請求項２２に記載の方法。
【請求項２４】
癌が肺癌であることを特徴とする請求項２２に記載の方法。
【発明の詳細な説明】
【０００１】
この出願は２０００年１月３０日に提出した米国特許仮出願第６０／２１５，４５４号の利益を請求するものであり、すべての特許出願は言及することをもって本明細書の一部とする。
【０００２】
（技術分野）
本発明は細胞外マトリックス（ＥＣＭ）関連腫瘍マーカーをコードするｃＤＮＡ及びｃＤＮＡの使用そして腫瘍、特に結腸と肺の癌の診断と治療においてコード化されたタンパク質に関連する。
【０００３】
（発明の背景）
生物間の系統発生関係は何回も実証されてきた。そして広範な原核細胞および真核細胞生物の研究により分子、生化学的メカニズム、生理学的メカニズム、代謝経路の多少の漸進的な進化が示されてきた。進化ストレスが異なるが、線虫、ハエ、ラット、ヒトのタンパク質には共通の化学的及び構造的特長があり、一般的に同じ細胞機能を行う。構造と機能が公知である生物の核酸とタンパク質配列の比較は、ヒト配列の調査を加速する。またヒトの症状、疾患または障害に対する診断と薬剤をテストするモデル系の発達を可能にする。
【０００４】
癌と悪性腫瘍は連続した細胞増殖と細胞死によって特徴付けられ、遺伝学と環境の両方に因果関連がある。癌マーカーは、癌への家族性素因の決定また早期検診そして様々な癌の予後において非常に重要である。
【０００５】
結腸直腸癌は４番目に発生率の高い癌であり、米国では癌による死の２番目に高い原因となっており、毎年約１３万人が新患となり、５万５千人が死亡する。結腸と直腸癌は多くの環境危険因子を共有しており、両者とも個々に特有の遺伝的症候群が見られる。（結腸直腸癌の概説にはＰｏｔｔｅｒ， ＪＤ （１９９９） Ｊ Ｎａｔｌ Ｃａｎｃｅｒ Ｉｎｓｔｉｔｕｔｅ ９１：９１６−９３２を参照）。結腸癌は男女でおよそ等しい頻度で発生する唯一の癌である。また米国では結腸癌の診断５年後の生存率は約５５％である（Ｒｉｅｓ ら （１９９０） Ｎａｔｉｏｎａｌ Ｉｎｓｔｉｔｕｔｅｓ ｏｆ Ｈｅａｌｔｈ， ＤＨＨＳ Ｐｕｂｌ Ｎｏ． （ＮＩＨ）９０−２７８９）。
【０００６】
結腸癌は遺伝子と環境の両者と因果関係がある。幾つかの分子経路は結腸癌の発生と関係があり、これらの経路すべての鍵遺伝子の発現は先天性または後天性突然変異或いは過剰メチル化により失われる可能性がある。発現の変化が結腸癌の早期指標あるいは結腸癌の発生の素因を提供し、疾患の治療に役立つ可能性のある治療標的をも提供する可能性があるので、遺伝子を同定する特別な必要性がある。
【０００７】
結腸癌の素因、発生、進行と関連のある多数の遺伝子が同定されてきた。例えば、ヒトの腫瘍ではＤＮＡメチル化の異常パターンが常に起こることが十分に知られている。特に結腸癌では、結腸癌に先行する悪性ポリープなど腫瘍進行においてこれらの変化が早期に発生することが見つけられている。ＤＮＡメチル化を行う酵素であるＤＮＡメチルトランスフェラーゼは、結腸癌または癌に先行する良性ポリープの患者の組織学的に正常な粘膜で著しく増加する。そしてこの増加は結腸腫瘍の進行中継続する（Ｗａｆｉｋら（１９９１） Ｐｒｏｃ Ｎａｔｌ Ａｃａｄ Ｓｃｉ ＵＳＡ ８８：３４７０−３４７４）。家族性大腸腺腫症（ＦＡＰ）は結腸癌に先行するまれな常染色体優性症候群であり、大腸腺腫様ポリポーシス（ＡＰＣ）遺伝子の先天性突然変異によって起こる。ＡＰＣ遺伝子は、ＡＰＣ−β−カテニン−Ｔｃｆ （Ｔ−細胞因子）経路の一部である。この経路の障害により、結腸上皮細胞の規則的な複製化、接着性、移動性が失われ、それがポリープの成長につながる。遺伝性非腺腫性結腸癌（ＨＮＰＣＣ）は別の先天性常染色体優性症候群であり、結腸癌の早期発症および他の癌の発生の性向とは区別される。ＨＮＰＣＣは、ＤＮＡミスマッチ修復（ＭＭＲ）経路の１つか複数の遺伝子の突然変異から発生する。２つのヒトＭＭＲ遺伝子ＭＳＨ２およびＭＬＨ１の突然変異は、これまでに同定されたＨＮＰＣＣファミリーの大部分に見出される。ほとんどすべての結腸癌は、エストロゲン受容体（ＥＲ）遺伝子が不活性の細胞から発生する。ＥＲ遺伝子転写の不活性化は年齢に関係しており、ＥＲ遺伝子の過剰メチル化に関連する（Ｉｓｓａら（１９９４） Ｎａｔｕｒｅ Ｇｅｎｅｔｉｃｓ ７：５３６−５４０）。培養した結腸癌細胞に外来性ＥＲ遺伝子を導入することにより、著しく成長が抑制される。
【０００８】
結腸癌、癌発生の早期指標を提供する可能性のある疾患の発生と進行と関連する多数の遺伝子変更が存在することは明らかであり、疾患進行のモニタ−または治療標的の提供にも使用される可能性がある。
【０００９】
細胞外マトリックス（ＥＣＭ）は、細胞から分泌された糖タンパク質、多糖、プロテオグリカンおよび他の高分子の複雑なネットワークである。また細胞に接着性、移動性、シグナル伝達のために機械的な足場を提供する。腫瘍細胞は転移性になるプロセスにおいて細胞ＥＣＭ固着の必要性およびＥＣＭ仲介成長制御をしばしば克服するようになる（Ｒｕｏｓｌａｈｔｉ， Ｅ． （１９９６） Ｓｃｉ． Ａｍ． ２７５：７２−７７）。このようにしてＥＣＭタンパク質の変異は、ある種の癌に対するマーカーの追加供給源と可能性のある治療標的を提供する。多くのＥＣＭタンパク質は膜貫通ドメインの存在によって特徴付けられる。そしてロイシンリッチリピート（ＬＬＲ）などのタンパク質−タンパク質または細胞−マトリックス相互作用ドメインはシグナル伝達、タンパク質−タンパク質相互作用における細胞接着と関連があると思われる。
【００１０】
ＥＣＭ関連タンパク質をコードするｃＤＮＡの発見は、癌、特に結腸と肺の癌の診断と治療に有用な組成物の提供により当分野の必要を満たす。
【００１１】
（発明の概要）
本発明はＥＣＭ関連タンパク質をコードするｃＤＮＡ、ＥＣＭＲＰの発見に基づいており、癌、特に結腸と肺の癌の診断と治療に有用である。
【００１２】
本発明は、ＳＥＱ ＩＤ ＮＯ：１のアミノ酸配列を有するタンパク質をコードする核酸配列を含む単離したｃＤＮＡを提供する。本発明はまた、ＳＥＱ ＩＤ ＮＯ：２の核酸配列を含む群から選択した単離したｃＤＮＡまたはその相補配列、ＳＥＱ ＩＤ ＮＯ：３−１３から選択したＳＥＱ ＩＤ ＮＯ：２の断片、ＳＥＱ ＩＤ ＮＯ：１４−１５から選択したＳＥＱ ＩＤ ＮＯ：２の変異体を提供する。更に本発明は、ＥＣＭ関連タンパク質をコードするｃＤＮＡあるいはｃＤＮＡの相補体を含む組成物、基質、プローブを提供する。更に本発明は、ｃＤＮＡを含むベクター、ベクターを含む宿主細胞およびＥＣＭ関連タンパク質を作製するためにｃＤＮＡを使用する方法を提供する。更に本発明は、ＥＣＭ関連タンパク質をコードするｃＤＮＡを含むベクターから成る遺伝形質転換細胞株または生物を提供する。本発明はまた、ＳＥＱ ＩＤ ＮＯ：２−１５から成る群から選択したｃＤＮＡの断片、変異体またはその相補配列を提供する。或る実施態様において、本発明はこれらの断片、変異体またはその相補配列のうちの少なくとも１つを含む基質を提供する。２番目の実施様態において、本発明は検出、スクリーニング、精製方法で使用することが可能なｃＤＮＡまたはその相補配列を含むプローブを提供する。更なる実施様態において、プローブは一本鎖相補的ＲＮＡ及びＤＮＡ分子である。
【００１３】
本発明は、核酸にハイブリダイズするプローブを含むサンプルの核酸の示差発現を検出するためにｃＤＮＡを使用する方法を提供する。それによりハイブリダイゼーション複合体を形成して、ハイブリダイゼーション複合体形成を標準と比較する。そして比較はサンプル中のｃＤＮＡの示差発現を示す。或る実施態様において検出方法は更にハイブリダイゼーション前にサンプルの核酸の増幅を含む。別の実施様態において、ｃＤＮＡの示差発現を示す方法は癌、特に結腸と肺癌を診断するために使用される。別の実施様態において、ｃＤＮＡまた断片あるいは変異体またはその相補配列はアレイのエレメントを含み得る。
【００１４】
本発明はさらに、ｃＤＮＡを特異結合する少なくとも１つのリガンドを同定するライブラリあるいは複数の分子または化合物をスクリーニングするためにｃＤＮＡまた断片あるいは変異体またはその相補配列を使用する方法、そして特異結合を可能にする条件下でｃＤＮＡを分子または化合物に結合する、そしてｃＤＮＡへの特異結合を検出する、それによってｃＤＮＡを特異結合するリガンドを同定する方法を提供する。ある実施様態では、分子または化合物はＤＮＡ分子、ＲＮＡ分子、ペプチド核酸、人工形成の染色体、ペプチド、転写因子、リプレッサー、調節分子から選択される。
【００１５】
本発明は、ＳＥＱ ＩＤ ＮＯ：１のアミノ酸配列から成る群から選択したタンパク質または精製されたタンパク質、ＳＥＱ ＩＤ ＮＯ：１のアミノ酸配列と少なくとも８５％の相同性を有する変異体、ＳＥＱ ＩＤ ＮＯ：１の抗原性エピトープまたＳＥＱ ＩＤ ＮＯ：１の生物学的活性な部分を提供する。本発明は精製されたタンパク質と医薬用担体から成る組成物も提供する。本発明はさらに、あるタンパク質を使って、ｃＤＮＡを特異結合する少なくとも１つのリガンドを同定するライブラリあるいは複数の分子または化合物をスクリーニングする方法を提供し、その方法の内には、特異結合を可能にし特異結合を検出できる条件下で同タンパク質を分子または化合物を混合すること、それによって同タンパク質に特異結合するリガンドを同定ことが含まれる。ある実施様態においては、それらの分子または化合物はＤＮＡ分子、ＲＮＡ分子、ペプチド核酸、ペプチド、タンパク質、擬態、アゴニスト、アンタゴニスト、抗体、免疫グロブリン、インヒビター、薬剤から選択される。別の実施様態において、リガンドは癌、特に結腸と肺癌を患う患者を治療するために使用される。
【００１６】
本発明は、あるタンパク質を使って、そのタンパク質に特異的に結合する抗体で、その抗体の存在または量が癌、特に結腸と肺癌の診断となるような抗体あり、そのような抗体を見つけるためにある被検サンプルをスクリーンする方法を提供し、その方法は同被検サンプルから抗体を単離し、特異結合を可能にする条件下でその単離した抗体を同タンパク質に接触させ、その結合したタンパク質から抗体を解離し、知られる標準でその抗体の量を比較することが含まれる。
【００１７】
さらに本発明は、あるタンパク質を使って抗体を準備し精製する方法を提供し、その方法には、抗体反応を誘発する条件下で同タンパク質によって動物を免疫化すること、動物抗体を単離すること、ある基質に同タンパク質を付着させること、同タンパク質への特異結合を可能にする条件下で同基質を単離した抗体と接触させること、同タンパク質から同抗体を解離すること、そしてそれによって精製した抗体を得ることが含まれる。
【００１８】
本発明は、癌特に結腸と肺の癌で発現するタンパク質に特異結合する精製した抗体を提供する。本発明はまた、ある抗体を使って癌、特に結腸と肺の癌を診断する方法を提供し、その方法には、結合した抗体の量を知られる標準と比較し、それによって癌、特に結腸と肺の癌の存在を確定することが含まれる。さらに本発明は癌、特に結腸と肺の癌を治療するためにある抗体を使用する方法を提供する。それには治療の必要な患者に、精製されたその抗体と医薬用担体から成る組成物を投与することが含まれる。
【００１９】
本発明は、内在性ポリヌクレオチドの発現を破壊するために異種マーカー遺伝子を哺乳動物のゲノムＤＮＡに挿入する方法を提供する。さらに本発明は、あるｃＤＮＡを使用して哺乳動物モデル系を作製する方法を提供し、その方法には、ＳＥＱ ＩＤ ＮＯ：２−１５から選択されたｃＤＮＡを含むあるベクターを作製すること、そのベクターをＥＳ細胞に形質転換すること、形質転換したＥＳ細胞を選択すること、形質転換したＥＳ細胞を哺乳動物胚盤胞に微量注入すること、それによってキメラ胚盤胞を形成すること、キメラ胚盤胞を偽妊娠メスに導入すること、前記メスが生殖細胞系でｃＤＮＡを含むキメラ子孫を産むこと、そしてホモ接合性系、哺乳動物モデル系を作製するためにキメラ哺乳動物を交配することが含まれる。
【００２０】
（発明を実施するための形態）
本発明が、説明した特定の装置、材料及び方法に限定されるものではないことを理解されたい。また、ここで使用する専門用語は特定の実施例を説明する目的で用いたものであり、特許請求の範囲にのみ限定される本発明の範囲を限定することを意図したものではないことも併せて理解されたい。明細書中で用いている単数形の「或る」及び「その（この）」の表記は、文脈から明らかにそうでないとされる場合を除いて複数のものを指す場合もあることに注意しなければならない。例えばに「或る宿主細胞」と記されている場合には当業者に公知であるがそのような宿主細胞が複数あることもある。
【００２１】
本明細書中で用いる全ての専門用語及び科学用語は、特に定義されている場合を除き、当業者に一般に理解されている意味と同じ意味を有する。本発明で言及する全ての刊行物は、刊行物中で報告されていて且つ本発明に関係があるであろう細胞株、プロトコル、試薬及びベクターについて説明及び開示する目的で引用しているものである。本明細書のいかなる開示内容も、本発明が先行技術の効力によってこのような開示に対して先行する権利を与えられていないことを認めるものではない。
【００２２】
定義
「ＥＣＭ関連タンパク質」は、天然、合成、半合成或いは組換え体など全ての種（ウシ、イヌ、マウス、ヒツジ、ブタ、げっ歯類、サルそして好ましくはヒトを含む哺乳動物）から得られる精製されたタンパク質を指す。
【００２３】
「アレイ」は、基質上の少なくとも２つのｃＤＮＡあるいは抗体の規則正しい配列を指す。ｃＤＮＡあるいは抗体の少なくとも１つが調節または標準を表す。そして他方が目的の診断または薬剤のｃＤＮＡあるいは抗体を表す。基質上の２−約４０，０００のｃＤＮＡあるいは２−約４０，０００のモノクローナルまたはポリクローナル抗体の構成により、各ｃＤＮＡと少なくとも１つの核酸の間で形成される各標識ハイブリダイゼーション複合体のサイズとシグナル強度、あるいは各抗体と抗体が特異結合する少なくとも１つのタンパク質抗体タンパク質複合体は、確実に個別に区別できる。
【００２４】
配列表のｃＤＮＡの「相補配列」は、完全長配列に完全に相補的な核酸分子を指す。また高いストリンジェンシー条件下でｃＤＮＡあるいはｍＲＮＡをハイブリダイズする。
【００２５】
「ｃＤＮＡ」とは、単離したポリヌクレオチド、核酸分子あるいはその任意の断片または相補配列を指す。それは組換えまたは合成に由来する、二本鎖または一本鎖である可能性があり、コードするまたはコードしない３’または５’配列を表す、そしてイントロンが欠けている。
【００２６】
「タンパク質をコードするｃＤＮＡ」という語は、当分野で公知である分析を使用することにより同定された保存された領域、モチーフあるいはドメインをコードする配列と密接にアラインメントされた核酸配列を指す。これらの分析には保存された領域内で同一性を有するＢＬＡＳＴ （Ｂａｓｉｃ Ｌｏｃａｌ Ａｌｉｇｎｍｅｎｔ Ｓｅａｒｃｈ Ｔｏｏｌ）が含まれる（Ａｌｔｓｃｈｕｌ （１９９３） Ｊ Ｍｏｌ Ｅｖｏｌ ３６： ２９０−３００、Ａｌｔｓｃｈｕｌ ら（１９９０） Ｊ Ｍｏｌ Ｂｉｏｌ ２１５：４０３−４１０）。
【００２７】
「組成物」とは、ポリヌクレオチドと標識成分、精製されたタンパク質と医薬用担体、抗体と標識成分などを指す。
【００２８】
「誘導体」とは化学修飾されたｃＤＮＡあるいはタンパク質を指す。ｃＤＮＡの誘導体化にはクエオシン（ｑｕｅｏｓｉｎｅ）あるいはヒポキサンチンなどの類似体等非従来型塩基の置換が含まれ得る。これらの置換は当分野で公知である。タンパク質の誘導体化にはアセチル基、アシル基、アルキル基、アミノ基、ホルミル基またはモルホリン基による水素の置換が含まれる。分子誘導体は天然分子の生物学的活性を保持するが、長い寿命あるいは強化された活性などの長所を付与する可能性がある。
【００２９】
「示差発現」とは、存在の有無、サンプル中の転写メッセンジャーＲＮＡあるいは翻訳したタンパク質の量の少なくとも二倍の変更により検出される増加、または非調節、あるいは減少、また下方調節発現を指す。
【００３０】
「疾患」とは、ｃＤＮＡとＥＣＭ関連タンパク質が他と異なって発現する症状、疾病、または症候群を指す。そのような疾患には癌、特に結腸と肺の癌が含まれる。
【００３１】
「断片」とは長さが約５０から約４０００塩基対の連続したヌクレオチドを指す。断片は、関連する核酸分子を同定するためにＰＣＲまたはハイブリダイゼーション技術で、またリガンドをスクリーニングするために結合アッセイで使用される可能性がある。このようなリガンドは、複製、転写または翻訳を調節する治療として有用である。
【００３２】
「ハイブリタイゼーション化合体」とは、１つの分子のプリンが３’−Ｔ−Ｃ−Ａ−Ｇ−５’との５’−Ａ−Ｇ−Ｔ−Ｃ−３’ 塩基対などの相補的な分子ピリミジンと水素結合する時、ｃＤＮＡとサンプルの核酸の間で形成されるハイブリダイゼーションの条件、相補性の度合およびヌクレオチド類似体の使用は、ハイブリダイゼーション反応の効率とストリンジェンシーに影響する。
【００３３】
「標識成分」とは、ｃＤＮＡかタンパク質に結合接着するあるいは組み込まれることが可能な任意の可視または放射性標識を指す。可視標識には、限定されるものではないが、アントシアニン、緑色蛍光タンパク質（ＧＦＰ）、βグルクロニダーゼ、ルシフェラーゼ、Ｃｙ３とＣｙ５などが含まれる。放射性マーカーには、水素、ヨウ素、亜リン酸、硫黄などの放射性状態が含まれる。
【００３４】
「リガンド」とは、ポリヌクレオチドあるいはタンパク質のエピトープに特異結合する任意の物質、分子または化合物を指す。そのようなリガンドはポリヌクレオチドまたタンパク質の活性を安定化あるいは調節する。そしてミネラル、補助因子、核酸、タンパク質、糖質、脂肪、脂質を含む無機および／または有機物質から構成されている可能性がある。
【００３５】
「オリゴヌクレオチド」とは、長さが約１８から約６０ヌクレオチドの一本鎖分子を指す。そしてハイブリダイゼーションまたは増幅技術、複製、転写または翻訳の調節で使用される可能性がある。同義語は、アンプライマー、プライマー、オリゴマーである。
【００３６】
「オリゴペプチド」は、抗体を産生する融合タンパク質の一部として使用される約５残基から約１５残基までのアミノ酸配列である。
【００３７】
「部分」とは、任意の目的に使用されるタンパク質の任意の部分を指す。しかし特にリガンドをスクリーニングするためまたは抗体を産生するためのエピトープを指す。
【００３８】
タンパク質の「翻訳後修飾」には、脂質化、グリコシル化、リン酸化、アセチル化、ラセミ化、蛋白分解性切断及びその他が含まれ得る。これらのプロセスは、合成或いは生化学的に生じ得る。生化学的修飾は、細胞の位置、細胞型、ｐＨ、酵素環境などによって異なる。
【００３９】
「プローブ」とは、サンプル中の少なくとも１つの核酸にハイブリダイズするｃＤＮＡを指す。標的が一本鎖である場合、プローブは相補的一本鎖である。プローブは、サザン法、ノーザン法、ｉｎ ｓｉｔｕ、ドットブロット法、アレイなどの技術またはスクリーニングアッセイを含む、ハイブリダイゼーション反応で使用するためにレポーター分子で標識化される。
【００４０】
「タンパク質」とは、ポリペプチドあるいはその任意の部分を指す。タンパク質の「部分」とは、少なくとも１つの生物学的活性を保持するであろうアミノ酸配列の長さ、ＰＦＡＭまたはＰＲＩＮＴＳ分析によって同定されるドメインあるいはＰＲＯＴＥＡＮ プログラム（ＤＮＡＳＴＡＲ， Ｍａｄｉｓｏｎ ＷＩ）のＫｙｔｅ−Ｄｏｏｌｉｔｔｌｅ アルゴリズムを使用して同定したタンパク質の抗原性エピトープを指す。
「精製した」とは、自然環境から分離されたそして約６０％から約９０％まで自然に会合する他の化合物から遊離している任意の分子あるいは化合物を指す。
【００４１】
「サンプル」は、核酸、タンパク質、抗体その他を含むようなその最も広い意味で用いられる。サンプルは体液、細胞調製の可溶性分画、細胞が成長する培地のアリコット、染色体、細胞小器官、あるいは細胞から単離または抽出された膜、溶液中のまたは基板に固定されたゲノムＤＮＡ、ＲＮＡ、またはｃＤＮＡと、細胞、組織プリント、フィンガープリント、口内細胞、皮膚あるいは髪などから成る可能性がある。
【００４２】
配列に適用される「類似性」とは、Ｓｍｉｔｈ−Ｗａｔｅｒｍａｎ アルゴリズム（Ｓｍｉｔｈ及びＷａｔｅｒｍａｎ （１９８１） Ｊ Ｍｏｌ Ｂｉｏｌ １４７：１９５−１９７）あるいはＢＬＡＳＴ２ （Ａｌｔｓｃｈｕｌ ら （１９９７） Ｎｕｃｌｅｉｃ Ａｃｉｄｓ Ｒｅｓ ２５：３３８９−３４０２）などの標準化されたアルゴリズムを用いてアラインメントされた少なくとも２つの配列間で一致する分子あるいは残基の定量化（通常は％）を指す。ＢＬＡＳＴ２は、アラインメントを最適化するために配列の１つでギャップを挿入するまた２つの配列をより有意に比較できる標準化された再現性のある方法で使用される可能性がある。タンパク質では特に、保存的置換では類似性が同一性よりも大きい。例えば、ロイシンまたはイソロイシンのバリンは報告された割合を計算する時にカウントされる。保存と考えられた置換が当分野で公知である。
【００４３】
「特異結合」とは、構造、特に分子側基に依存する、２つの分子間での特別で精確な相互作用を指す。例えば、調節タンパク質のＤＮＡ分子の主溝への挿入、あるいはタンパク質のエピトープとアゴニスト、アンタゴニストまたは抗体との間の結合がある。
【００４４】
「基質」とは、ｃＤＮＡまたはタンパク質が結合する任意の固体または半固体の支持体を指すものであって、膜、フィルタ、チップ、スライド、ウエハ、ファイバー、磁性または非磁性ビーズ、ゲル、毛管、またはその他の管、プレート、ポリマー、微細粒子が含まれ、穴、溝、ピン、チャネル、孔等、様々な表面形態を有する。
【００４５】
「変異体」とは、ｃＤＮＡまたはｃＤＮＡがコードするタンパク質の認識される変異である分子を指す。スプライス変異体は、スコアが少なくとも１００、最も好ましいのは少なくとも４００である、ＢＬＡＳＴスコアにより決定する可能性がある。対立遺伝子変異体はｃＤＮＡに対して高一致率を有し、１００塩基に付き約３塩基が異なる。「１塩基ヌクレオチド多形性」（ＳＮＰ）とは、欠失、挿入または置換による単一の塩基での変異を指す。変異は保存（プリンからプリン）あるいは非保存（プリンからピリミジン）される可能性があり、コード化されたアミノ酸または２次、３次、４次構造の変異となる可能性もならない可能性もある。
【００４６】
発明
本発明は、結腸と肺癌の性質決定、診断、治療におけるＥＣＭ関連タンパク質をコードするｃＤＮＡの発見、ｃＤＮＡまたはその断片、タンパク質またはその部分、直接あるいは組成物としての使用に基づくものである。
【００４７】
本発明のＥＣＭ関連タンパク質をコードする核酸は、ヌクレオチドそして／またはアミノ酸配列アラインメント用のコンピュータ検索を利用して最初にＩｎｃｙｔｅクローン２７４３０９３で同定した。ＳＥＱ ＩＤ ＮＯ：２は下記の重複そして／あるいは伸長した核酸配列に由来する。（ＳＥＱ ＩＤ ＮＯ：３−１３）：Ｉｎｃｙｔｅ クローン２７４３０９３Ｈ１ （ＳＫＩＮＤＩＡ０１）、４８７６６２３Ｆ９  （ＣＯＬＤＮＯＴ０１）、２３１６２３９Ｔ６  （ＯＶＡＲＮＯＴ０２）、６２５８０１５Ｆ８  （ＢＭＡＲＴＸＴ０６）およびショットガン配列７６７７６０６Ｊ１、７１１１１９１５Ｖ１、７１１１２８５０Ｖ１、７１２６２９６０Ｖ１、７１２６４０３５Ｖ１、７１１１３４８４Ｖ１、７１１１４７３８Ｖ１。
【００４８】
一実施態様では、本発明は図１Ａから１Ｊで表示されるようにアミノ酸配列ＳＥＱ ＩＤ ＮＯ：１を含むポリペプチドを提供する。ＥＣＭ関連タンパク質は長さが５４６アミノ酸であり、Ｎ１１４とＮ４４６で２つの潜在的Ｎ−グリコシル化部位、Ｓ５９、Ｔ２１５、Ｔ２４４、Ｓ３０５、Ｓ３８１、Ｓ４２５、Ｓ４５３、Ｔ５２１で８つの潜在的カゼインキナーゼＩＩリン酸化部位、Ｓ２とＴ３７５で２つの潜在的プロテインキナーゼＣリン酸化部位およびＹ５１０で１つの潜在的チロシンキナーゼリン酸化部位を有する。ＰＦＡＭ分析は、ＳＥＱ ＩＤ ＮＯ：１のアミノ酸残基Ｔ９３とＰ１８８の間でタンパク質―タンパク質結合作用と関連する幾つかのロイシンリッチリピートドメイン（ＬＲＲ）を示す。さらにＰＦＡＭ分析は残基Ｎ２２２からＰ２７２のＣ末端ＬＬＲを示す。さらにＰＲＩＮＴＳ分析はＬＬＲの存在をＬ１１８からＬ１３１まで、またＳＥＱ ＩＤ ＮＯ：１のＭ１６３からＬ１７６まで確認する。さらにＨＭＭＲ分析は膜貫通ドメインの存在をＳＥＱ ＩＤ ＮＯ：１の残基Ｉ３１６とＶ３３５の間で示す。有用な抗原性エピトープはＥＣＭＲＰの約Ｌ６０から約Ｌ１７５まで伸長する、そしてＥＣＭＲＰの生物学的活性な部分は約Ｌ１１８から約Ｌ１３１までまた約Ｍ１６３から約Ｌ１７６まで伸長する。ＥＣＭ関連タンパク質を特異結合する抗体は、癌、特に結腸と肺癌を同定する診断アッセイにおいて有用である。
【００４９】
図２は、ＴＡＱＭＡＮ分析によりＥＣＭＲＰ発現を分析した多様な正常な成熟した組織の結果を示す。ＥＣＭＲＰの著しい発現は、肝臓、前立腺、結腸、甲状腺、下垂体、副腎組織にのみ見られる。また心臓、脳、肺、骨格筋、腎臓、膵臓、脾臓、胸腺、卵巣、小腸、末梢血白血球では検出されない。
【００５０】
表１は、ＬｉｆｅＳｅｑデータベース（Ｉｎｃｙｔｅ Ｇｅｎｏｍｉｃｓ）におけるｃＤＮＡライブラリのノーザン分析による組織のカテゴリーのＥＣＭＲＰの発現を示す。結果は、ＥＣＭＲＰの発現が消化器系、内外分泌系、女性生殖器（前立腺など）、呼吸器系、皮膚など多様な組織のカテゴリーに分布していることを示す。上記、表１と図２の結果の間で観察される差異は、恐らくＬｉｆｅＳｅｑデータベースのｃＤＮＡライブラリの胎児の病変組織の高発生率を反映する。
【００５１】
図３は、ＴＡＱＭＡＮ分析（Ａｐｐｌｉｅｄ Ｂｉｏｓｙｓｔｅｍｓ）による正常な結腸組織と比較した結腸癌組織サンプルのＥＣＭＲＰの発現、また正常な肺と比較した肺腫瘍サンプルを示す。結果は、調べたサンプル９つのうち６つで結腸腫瘍におけるＥＣＭＲＰの発現の増大を示す（提供者ＩＤ：３５８１、３５８３、３６４７、３６４９、３４７９、４６１４）。癌と正常な組織の間で発現の差異が少なくとも１．２倍であることが観察されるならば結果は重大であると考えられた。
【００５２】
表２は、正常な結腸組織に対する結腸癌または結腸ポリープ組織における、また正常な肺に対する肺腫瘍組織におけるＥＣＭＲＰの発現を比較するマイクロアレイ分析の結果を示す。結果は、調べた患者１４人中７人で結腸腫瘍またはポリープにおけるＥＣＭＲＰの発現の増大を示す（提供者ＩＤ：４６１４、３７５５、３３１１、３７５４、３５８３、３８３９、３５８１）。ＥＣＭＲＰの発現の増大は調べた肺腫瘍のサンプル１０のうち２つでも観察された（提供者ＩＤ：５７９６、５８００）。癌と正常な組織の間で発現の差異が少なくとも１．５倍であることが観察されるならば、示差発現（列２）は重大であると考えられた。
【００５３】
正常な結腸組織と比較した場合、ＥＣＭＲＰの発現の増大はヒトの結腸直腸腺癌細胞株、ＨＴ−２９でも観察された。（データ表示されず）
ＥＣＭ関連タンパク質をコードする哺乳動物のｃＤＮＡの変異体は、デフォルトパラメータでＢＬＡＳＴ２とＺＯＯＳＥＱデータベース（Ｉｎｃｙｔｅ Ｇｅｎｏｍｉｃｓ）を使用して同定された。これらの好適な変異体は、以下の表で示されるように約８７％から８９％の同一性を有する。 列１、変異ｃＤＮＡのＳＥＱ ＩＤｖａｒ 、列３、変異ｃＤＮＡのクローン番号、列４、ヒトのｃＤＮＡへの一致率、列５、ヒトのｃＤＮＡへの変異ｃＤＮＡのアラインメント。
2004516813.tif 000003
【００５４】
当業者であれば、遺伝暗号の縮重の結果、ＥＣＭ関連タンパク質をコードする多数のｃＤＮＡ（既知の遺伝子または天然の遺伝子のｃＤＮＡと最低限の類似性しか有しないｃＤＮＡもある）を産出し得ることは理解できよう。したがって本発明には、可能コドン選択に基づく組合せの選択によって産出し得るようなありとあらゆる可能性のあるｃＤＮＡの変異体を網羅し得る。これらの組合せは、天然のＥＣＭ関連タンパク質をコードするポリヌクレオチドに適用されるような標準トリプレット遺伝暗号を基に作られるものであり、このような変異は全て明確に開示されているものと考えられる。
【００５５】
ＳＥＱ ＩＤ ＮＯ：２−１５のｃＤＮＡは、ＳＥＱ ＩＤ ＮＯ：２とサンプル中の関連する分子の中で同定、区別するためのハイブリダイゼーション、増幅、スクリーニング技術で使用可能である。哺乳動物ｃＤＮＡ、ＳＥＱ ＩＤ ＮＯ：１４−１５は、ヒトの結腸または肺癌のモデル系である遺伝形質転換細胞株または生物を産生するために使用することが可能であり、潜在的な治療上の処置の薬剤効果および毒性を検査することが可能である。ｃＤＮＡ、タンパク質、抗体、分子、本発明のｃＤＮＡｓとタンパク質を使用して同定された化合物を使用して、毒性研究、臨床試験、被検者／患者治療プロフィールを実施すること、モニターすることが可能である。
【００５６】
ｃＤＮＡｓとタンパク質、断片とその部分の同定と性質決定は米国特許仮出願６０／２１５，４５４に記載されており、すべての文献は言及することをもって本明細書の一部とする。
【００５７】
本発明の性質決定と使用
ｃＤＮＡライブラリ
本明細書で開示する特定の実施例において、ｍＲＮＡを当業者に周知の方法を使用して哺乳動物細胞と組織から単離して、ｃＤＮＡライブラリを準備するために使用する。Ｉｎｃｙｔｅ ｃＤＮＡを、実施例で記載されているように準備した哺乳動物ｃＤＮＡライブラリから単離した。コンセンサス配列は、化学的そして／あるいは電子的にＩｎｃｙｔｅ ｃＤＮＡを含む断片そしてＰＨＲＡＰ （Ｐ Ｇｒｅｅｎ， Ｕｎｉｖｅｒｓｉｔｙ ｏｆ Ｗａｓｈｉｎｇｔｏｎ， Ｓｅａｔｔｌｅ ＷＡ）とＡＵＴＯＡＳＳＥＭＢＬＥＲ ａｐｐｌｉｃａｔｉｏｎ （Ａｐｐｌｉｅｄ Ｂｉｏｓｙｓｔｅｍｓ， Ｆｏｓｔｅｒ Ｃｉｔｙ ＣＡ）などのコンピュータプログラムを使用して伸長そして／あるいはショットガン配列から構築される。５’と３’配列の検証後、ＥＣＭ関連タンパク質をコードする少なくとも１つの代表的なｃＤＮＡが試薬を指定する。
【００５８】
シークエンシング
核酸をシークエンシングする方法は当分野でよく知られており、本発明の何れの実施例も核酸をシークエンシングする方法を用いて実施可能である。核酸をシークエンシングする方法には酵素を用いることができる。例えばＤＮＡポリメラーゼＩのクレノウ断片、ＳＥＱＵＥＮＡＳＥ、Ｔａｑ ＤＮＡ ポリメラーゼ、熱安定性Ｔ７ＤＮＡポリメラーゼ（Ａｍｅｒｓｈａｍ， Ｐｈａｒｍａｃｉａ Ｂｉｏｔｅｃｈ（ＡＰＢ）， Ｐｉｓｃａｔａｗａｙ ＮＪ）を用いることができる。或いは、例えばＥＬＯＮＧＡＳＥ増幅システム（Ｌｉｆｅ Ｔｅｃｈｎｏｌｏｇｉｅｓ， Ｇａｉｔｈｅｒｓｂｕｒｇ ＭＤ）において見られるように、ポリメラーゼと校正エキソヌクレアーゼを併用することができる。好適には、ＭＩＣＲＯＬＡＢ２２００液体転移システム（Ｈａｍｉｌｔｏｎ， Ｒｅｎｏ， ＮＶ）、ＤＮＡ ＥＮＧＩＮＥ サーマルサイクラー（ＭＪ Ｒｅｓｅａｒｃｈ， Ｗａｔｅｒｔｏｗｎ ＭＡ）等の装置を用いて配列の調製を自動化する。シークエンシングをするために一般的には使用される装置は、ＡＢＩ ＰＲＩＳＭ ３７００、３７７或いは３７３ＤＮＡシークエンシングシステム（Ａｐｐｌｉｅｄ Ｂｉｏｓｙｓｔｅｍｓ）、ＭＥＧＡＢＡＣＥ １０００ ＤＮＡシークエンシングシステム（ＡＰＢ）などである。配列は、当分野で公知であり、Ａｕｓｕｂｅｌ， ら（１９９７） Ｓｈｏｒｔ Ｐｒｏｔｏｃｏｌｓ ｉｎ Ｍｏｌｅｃｕｌａｒ Ｂｉｏｌｏｇｙ， Ｊｏｈｎ Ｗｉｌｅｙ ＆ Ｓｏｎｓ， Ｎｅｗ Ｙｏｒｋ ＮＹ， ｕｎｉｔ ７．７、Ｍｅｙｅｒｓ， Ｒ．Ａ． （１９９５） Ｍｏｌｅｃｕｌａｒ Ｂｉｏｌｏｇｙ ａｎｄ Ｂｉｏｔｅｃｈｎｏｌｏｇｙ， Ｗｉｌｅｙ ＶＣＨ， Ｎｅｗ Ｙｏｒｋ ＮＹ， ８５６−８５３ページに記載されている、多種のアルゴリズムを使用して分析され得る。
【００５９】
ショットガン・シークエンシングは、目的の特定クローン化インサートの配列を完成するために使用することもできる。ショットガン・ストラテジーには無作為に元のインサートを多様なサイズのセグメントに切断すること、これらの断片をベクターにクローニングすることが関係する。これらの断片は、元のインサートの配列全体が知られるまで重畳する末端を使用して、配列化され、再構築される。ショットガン・シークエンシング方法は当分野で公知であり、目的のｃＤＮＡｓの側面に位置する代表的領域から選択される熱安定性ＤＮＡポリメラーゼ、易熱性ＤＮＡポリメラーゼ、プライマーを使用する。不完全に構築された配列は、当分野で公知である多様なアルゴリズムまたはＣＯＮＳＥＤ （Ｇｏｒｄｏｎ （１９９８） Ｇｅｎｏｍｅ Ｒｅｓ ８：１９５−２０２）などのプログラムを使用して同一性を調べられる。ベクターまたはキメラ配列を含む汚染配列あるいは除去配列は、不完全に構築された配列を完全な配列に組織化することにより、それぞれ除去、回復が可能である。
【００６０】
核酸の伸長
本発明の配列は、当分野で周知のＰＣＲ法をベースにした種々の方法で伸長することが可能である。例えば、ＸＬ−ＰＣＲキット（Ａｐｐｌｉｅｄ Ｂｉｏｓｙｓｔｅｍｓ）、ネステッドプライマー、市販のｃＤＮＡあるいはゲノムＤＮＡライブラリは核酸を伸長するために使用され得る。全てのＰＣＲベースの方法に対して、市販されているソフトウェア、例えばＯＬＩＧＯプライマー分析ソフトウェア（Ｍｏｌｅｃｕｌａｒ Ｂｉｏｌｏｇｙ Ｉｎｓｉｇｈｔｓ， Ｃａｓｃａｄｅ ＣＯ）などを用いて、長さが約２２〜３０ヌクレオチド、ＧＣ含有率が約５０％以上、温度約５５℃〜６８℃で標的分子に対してアニーリングするようにプライマーを設計し得る。調節エレメントを回収するために配列を伸長する時、ｃＤＮＡライブラリよりもゲノムを使用するほうが好適である。
【００６１】
ハイブリダイゼーション
ｃＤＮＡとその断片は、様々な目的でハイブリダイゼーション技術において使用することが可能である。プローブを５’調節領域などの固有の領域または非保存された領域（即ちタンパク質の保存された触媒ドメインをコードするヌクレオチドの５’または３’）から由来する、設計することは可能である。そしてＥＣＭ関連タンパク質、対立遺伝子変異配列あるいは関連分子をコードする天然の分子を同定するために、プロトコルで使用する。プローブはＤＮＡまたはＲＮＡそして一本鎖である可能性があり、任意の核酸配列ＳＥＱ ＩＤ ＮＯ：２−１５に対して少なくとも５０％の配列同一性を有するはずである。ハイブリダイゼーションプローブはオリゴ標識化、ニックトランスレーション、末端標識化、またはレポーター分子の存在下でＰＣＲ増幅を使用して産生され得る。ｃＤＮＡまたはその断片を含むベクターは、ＲＮＡポリメラーゼと標識されたヌクレオチドを加えてｉｎ ｖｉｔｒｏでｍＲＮＡプローブを産生するために使用することが可能である。このような方法は、例えばＡＰＢから市販されている種々のキットを用いて実行することができる。
【００６２】
ハイブリダイゼーションのストリンジェンシーは、プローブのＧ＋Ｃ含有、塩分濃度、温度により決定する。特に、ストリンジェンシーは、塩の濃度の減少あるいはハイブリダイゼーション温度の上昇により増強することができる。ハイブリダイゼーションは、１％のドデシル硫酸ナトリウム（ＳＤＳ）を６０℃で５ｘＳＳＣなどのバッファーで低ストリンジェンシーで実施することができる。そして不一致を含む核酸配列の間でハイブリダイゼーション化合物の形成を可能にする。続いて０．１％ ＳＤＳを４５℃（中間ストリンジェンシー）または６８℃（高ストリンジェンシー）で、０．２ｘＳＳＣなどのバッファーで高いストリンジェンシーで洗浄を実施した。高いストリンジェンシーでは、ハイブリダイゼーション複合体は核酸が完全に相補的な場合のみ安定を保持するであろう。或る膜系ハイブリダイゼーションでは、好ましくは３５％または最も好ましくは５０％、ハイブリダイゼーションが実施される温度を低下させるためにホルムアミドはハイブリダイゼーション溶液に加えることができる。そしてバックグラウンドシグナルはＳａｒｋｏｓｙｌまたはＴＲＩＴＯＮ Ｘ−１００ （Ｓｉｇｍａ−Ａｌｄｒｉｃｈ， Ｓｔ． Ｌｏｕｉｓ ＭＯ）などの界面活性剤、変性したサケ精子ＤＮＡなどのブロッカーの使用により減少させることができる。化合物の選択とハイブリダイゼーションの条件は当業者には公知である。またＡｕｓｕｂｅｌ （前出）およびＳａｍｂｒｏｏｋ ら（１９８９） Ｍｏｌｅｃｕｌａｒ Ｃｌｏｎｉｎｇ， Ａ Ｌａｂｏｒａｔｏｒｙ Ｍａｎｕａｌ， Ｃｏｌｄ Ｓｐｒｉｎｇ Ｈａｒｂｏｒ Ｐｒｅｓｓ， Ｐｌａｉｎｖｉｅｗ ＮＹに概説されている。
【００６３】
アレイを本技術分野でよく知られている方法を用いて調製し、そして分析することができる。オリゴヌクレオチドまたはｃＤＮＡは、同時に多数の遺伝子の発現レベルをモニターするためにまたは遺伝変異体、突然変異及び一塩基多型性を同定するためにハイブリダイゼーションプローブあるいは標的として使用され得る。アレイを用いることで、遺伝子機能を決定し、症状、疾患または障害の遺伝的根拠を理解し、症状、疾患または障害を診断し、薬剤の活性を開発及びモニターすることができる。（Ｂｒｅｎｎａｎ ら （１９９５） ＵＳＰＮ ５，４７４，７９６、Ｓｃｈｅｎａ ら （１９９６） Ｐｒｏｃ Ｎａｔｌ Ａｃａｄ Ｓｃｉ ９３：１０６１４−１０６１９、Ｈｅｌｌｅｒ ら（１９９７） Ｐｒｏｃ Ｎａｔｌ Ａｃａｄ Ｓｃｉ ９４：２１５０−２１５５、Ｈｅｌｌｅｒ ら（１９９７） ＵＳＰＮ ５，６０５，６６２等を参照）。
【００６４】
ハイブリダイゼーションプローブは、天然のゲノム配列をマッピングするのにも有用である。ハイブリダイゼーションプローブは、特定の染色体、染色体の特定領域または人工形成の染色体にハイブリダイズされる。そのような産物には、ヒト人工染色体（ＨＡＣ）、酵母人工染色体（ＹＡＣ）、細菌人工染色体（ＢＡＣ）、細菌Ｐ１産物、或いは単一染色体から作成されるライブラリのｃＤＮＡが含まれる。
【００６５】
発現
ＥＣＭ関連タンパク質をコードする多数のｃＤＮＡのいずれかは、ベクターにクローニングされ得る。また宿主細胞でタンパク質或いはその部分を発現するために使用される。核酸配列は、新規な制限部位の生成、グリコシル化パターンの変更、コドン優先の変更のためにＤＮＡシャッフリング（ＵＳＰＮ ５，８３０，７２１）、特定部位の突然変異誘発などの方法により操作することが可能であり、特定の宿主における発現の増大、スプライス変異体の生成、半減期の延長などがなされる。発現ベクターは、特定の宿主での効率のために選択された多様なソースからの転写及び翻訳調節エレメント（プロモーター、エンハンサー、特定の開始シグナル、ポリアデニル化された３’ 配列）を含むことが可能である。ベクター、ｃＤＮＡ、調節エレメントは、当分野で公知であり、Ｓａｍｂｒｏｏｋ （前出４、８、１６、１７章）に記載されている、ｉｎ ｖｉｔｒｏ組換えＤＮＡ技術、合成技術、及びｉｎ ｖｉｖｏ遺伝子組換え技術を利用して結合する。
【００６６】
種々の宿主系が、発現ベクターで形質転換が可能である。限定するものではないがこのような宿主系には、組換えバクテリオファージ、プラスミドまたはコスミドＤＮＡ発現ベクターで形質転換させた細菌や、酵母菌発現ベクターで形質転換させた酵母菌や、バキュロウイルス発現ベクターで形質転換させた昆虫細胞系や、ウイルスそして／あるいは細菌性エレメントを含む発現ベクターで形質転換させた植物細胞系、あるいは動物細胞系がある（前出のＡｕｓｕｂｅｌ，ｕｎｉｔ １６）。例えば、アデノウイルス転写物／翻訳複合体は哺乳動物細胞で利用することが可能である。配列をウイルスのゲノムのＥ１あるいはＥ３領域に結反応させた後に、感染ウイルスは宿主細胞のタンパク質を形質転換、発現するために用いられる。ラウス肉腫ウイルスエンハンサーあるいはＳＶ４０またはＥＢＶをベースにしたベクターを用いて、タンパク質を高レベルで発現させることもできる。
【００６７】
核酸配列の日常的なクローニング、サブクローニング、増殖には、ＰＢＬＵＥＳＣＲＩＰＴベクター（Ｓｔｒａｔａｇｅｎｅ， Ｌａ Ｊｏｌｌａ ＣＡ）またはｐＳＰＯＲＴ１プラスミド（（Ｌｉｆｅ Ｔｅｃｈｎｏｌｏｇｉｅｓ）などの多機能のベクターを用いることができる。これらのベクターの多数のクローニング部位に核酸配列を導入するとｌａｃＺ遺伝子が破壊され、形質転換された細菌のための比色スクリーニング法が可能となる。更にこれらのベクターは、クローニングされた配列におけるｉｎ ｖｉｔｒｏ転写、ジデオキシのシークエンシング、ヘルパーファージによる一本鎖の救出、入れ子状態の欠失の生成にも有用であろう。
【００６８】
組換えタンパク質の長期にわたる産生のためには、同じ或いは別のベクターの上の選択可能マーカーまたは可視マーカー遺伝子と共にベクターは安定して細胞株に形質転換されることが望ましい。ベクターの形質転換後、細胞は選択培地に移す前に強化培地で約１〜２日間細胞を増殖させることができる。選択可能マーカー、代謝拮抗物質、抗生物質或いは除草剤遺伝子は、関連する選択培地へ耐性を与え、導入された配列をうまく発現するような細胞の成長及び回収が可能となる。選択的培地上の生存あるいは可視マーカーの発現により同定された耐性クローンは、培養技術を用いて増殖可能である。可視マーカーは、導入された遺伝子により発現したタンパク質の量を推定するためにも用いられる。宿主細胞が望ましいｃＤＮＡを含んでいるかの検証は、ＤＮＡ−ＤＮＡまたはＤＮＡ−ＲＮＡハイブリダイゼーションあるいはＰＣＲ増幅技術に基づく。
【００６９】
宿主細胞株は、所望の形に組換えタンパク質を調節する能力によって選択がなされ得る。そのような修飾には、アセチル化、カルボキシル化、グリコシル化、リン酸化、脂質化及びアシル化及びその他がある。「プレプロ」形を切断するような翻訳後処理を利用して、タンパク質のターゲティング、折りたたみ及び／または活性を特定することも可能である。翻訳後の活性のための固有の細胞装置及び特徴のある機構を有する種々の宿主細胞（例えばＣＨＯ、ＨｅＬａ、ＭＤＣＫ、ＭＥＫ２９３、ＷＩ３８等）は、Ａｍｅｒｉｃａｎ Ｔｙｐｅ Ｃｕｌｔｕｒｅ Ｃｏｌｌｅｃｔｉｏｎ（ＡＴＣＣ， Ｍａｎａｓｓａｓ ＶＡ）から入手可能であり、外来タンパク質の正しい修飾及び処理を確実にするように選択し得る。
【００７０】
細胞培地でのこのタンパク質の回収
精製を容易にするためのベクターに組み換えられる異種部分には、グルタチオンＳトランスフェラーゼ（ＧＳＴ）、６ｘＨｉｓ、フラグ、ＭＹＣ及びその他がある。ＧＳＴは固定化グルタチオン上で、そして６−Ｈｉｓは金属キレート樹脂上で、市販されている親和性基質を用いて精製する。ＦＬＡＧとＭＹＣは、市販されているモノクローナル及びポリクローナル抗体を用いて精製する。精製後の分離を容易にするために、タンパク質と異種部分の間に位置するベクターにタンパク質分解切断部位をコードする配列を含めることもできる。組換えタンパク質の発現及び精製の方法は、前出のＡｕｓｕｂｅｌ（１９９５）１６章に記載されており、市販されている。
【００７１】
ペプチドの化学合成
タンパク質あるいはその部分は、組換え方法だけでなく、当分野で公知の化学的方法によっても産生され得る。固相ペプチド合成は、バッチワイズ（ｂａｔｃｈｗｉｓｅ）或いはα−アミノ−と側鎖−保護アミノ酸残基をリンカー群を通して不溶性重合体支持に順次加える連続流れ処理で実施され得る。メチルアミン−ｄｅｒｉｖａｔｉｚｅｄ ポリエチレン グリコールなどのリンカー群は、支持樹脂を形成するためにポリ（スチレン−ｃｏ−ジビニルベンゼン）に結合接着する。アミノ酸残基は酸 ｌａｂｉｌｅ Ｂｏｃ （ｔ−ブチル酸素カルボニル）または塩基−ｌａｂｉｌｅ Ｆｍｏｃ（９−フルオレニルメトキシカルボニル）によりＮ−α−保護される。保護アミノ酸のカルボキシル基は、残基を固相支持樹脂にアンカーするリンカー群のアミノに結合する。トリフルオロ酢酸またはピペリジンは、それぞれＢｏｃまたはＦｍｏｃについては保護基を除去するために用いられる。各追加のアミノ酸を、カップリング剤か前もって活性化されたアミノ酸誘導体を用いてアンカーした残基に加えて、次いで樹脂を洗浄する。全長ペプチドを連続脱保護、アミノ酸誘導体の結合、ジクロロメタンまた／あるいはＮ， Ｎ−ジメチルホルムアミドでの洗浄により合成する。前記ペプチドを、ペプチド酸またはアミドを産生するためにカルボキシル末端とリンカ−群の間で切断する。（Ｎｏｖａｂｉｏｃｈｅｍ １９９７／９８ Ｃａｔａｌｏｇ ａｎｄ Ｐｅｐｔｉｄｅ Ｓｙｎｔｈｅｓｉｓ Ｈａｎｄｂｏｏｋ， Ｓａｎ Ｄｉｅｇｏ ＣＡ Ｓ１−Ｓ２０ページ）自動合成はＡＢＩ ４３１Ａペプチドシンセサイザ（Ａｐｐｌｉｅｄ Ｂｉｏｓｙｓｔｅｍｓ）を用いて実施し得る。タンパク質或いはその部分は、分離用高速液体クロマトグラフィーを用いて精製可能である。またその組成物はアミノ酸分析かシークエンシングにより確認することができる（Ｃｒｅｉｇｈｔｏｎ （１９８４） Ｐｒｏｔｅｉｎｓ， Ｓｔｒｕｃｔｕｒｅｓ ａｎｄ Ｍｏｌｅｃｕｌａｒ Ｐｒｏｐｅｒｔｉｅｓ， ＷＨ Ｆｒｅｅｍａｎ， Ｎｅｗ Ｙｏｒｋ ＮＹ）。
【００７２】
抗体の調製とスクリーニング
限定されるものではないが、ヤギ、ウサギ、ラット、マウス、ヒト細胞株を含む種々の宿主が、ＥＣＭ関連タンパク質またはその任意の部分の注入によって免疫化され得る。フロイントアジュバント、ミネラルゲルアジュバント等のアジュバント、またリゾレシチン、プルロニックポリオル、ポリアニオン、ペプチド、油性乳剤、キーホールリンペットヘモシニアン（ＫＬＨ）、ジニトロフェノール等の界面活性剤とがあり、免疫反応を増大するために用いることも可能である。抗体を誘発するために用いられるオリゴペプチド、ペプチドまたはタンパク質の部分は、少なくとも約５のアミノ酸からなり、天然のタンパク質の部分に同一の約１０のアミノ酸からなるものが好ましい。オリゴペプチドは、ＫＬＨなどの別のタンパク質と融合し、キメラ分子に対する抗体が産生され得る。
【００７３】
モノクローナル抗体は、培地内の連続した細胞株によって、抗体を産生する任意の技術を用いて作製することが可能である。限定するものではないがこのような技術には、ハイブリドーマ技術、ヒトＢ細胞ハイブリドーマ技術及びＥＢＶ−ハイブリドーマ技術がある（Ｋｏｈｌｅｒ ら（１９７５） Ｎａｔｕｒｅ ２５６：４９５−４９７、Ｋｏｚｂｏｒ ら （１９８５） Ｊ． Ｉｍｍｕｎｏｌ Ｍｅｔｈｏｄｓ ８１：３１−４２、Ｃｏｔｅ ら（１９８３） Ｐｒｏｃ Ｎａｔｌ Ａｃａｄ Ｓｃｉ ８０：２０２６−２０３０、Ｃｏｌｅ ら（１９８４） Ｍｏｌ Ｃｅｌｌ Ｂｉｏｌ ６２：１０９−１２０等を参照）。
【００７４】
別法では、当分野で周知の方法を用いて、抗体の産生のための記載された技術を適用して、エピトープ特異性一本鎖抗体を生成する。タンパク質のエピトープに対する特異的な結合部位を含む抗体断片も得ることができる。例えば、限定するものではないが、このような断片には、抗体分子のペプシン消化によって作製されるＦ（ａｂ’）２ 断片と、Ｆ（ａｂ’）２ 断片のジスルフィド架橋を還元することによって作製されるＦａｂ断片とがある。或いは、Ｆａｂ発現ライブラリを作製することによって、モノクローナルＦａｂ断片を所望の特異性と迅速且つ容易に同定することが可能となる（Ｈｕｓｅ ら （１９８９） Ｓｃｉｅｎｃｅ ２４６：１２７５−１２８１等を参照）。
【００７５】
ＥＣＭ関連タンパク質またはその任意の部分は、所望の特異性を有する抗体を同定するｐｈａｇｅｍｉｄまたはＢ−リンパ球免疫グロブリンライブラリのスクリーニングアッセイで用いることができる。確立された特異性を有するポリクローナル抗体またはモノクローナル抗体の何れかを用いる競合的な結合、または免疫学的検定のための数々のプロトコルが、当分野では周知である。 通常このような免疫学的検定には、タンパク質とその特異性抗体との間の複合体形成の計測が含まれる。２つの非干渉エピトープに反応するモノクローナル抗体を用いた、２部位のモノクローナルベースイムノアッセイ（ｔｗｏ−ｓｉｔｅ， ｍｏｎｏｃｌｏｎａｌ−ｂａｓｅｄ ｉｍｍｕｎｏａｓｓａｙ）が好ましいが、競合の結合アッセイも用いることもできる（Ｐｏｕｎｄ （１９９８） Ｉｍｍｕｎｏｃｈｅｍｉｃａｌ Ｐｒｏｔｏｃｏｌｓ， Ｈｕｍａｎａ Ｐｒｅｓｓ， Ｔｏｔｏｗａ ＮＪ）。
【００７６】
ラジオイムノアッセイ技術と共にＳｃａｔｃｈａｒｄ分析などの様々な方法を用いて、ＥＣＭＲＰに対する抗体の親和性を評価する。親和性を結合定数Ｋａで表すが、このＫａは、平衡状態の下でＨＳＰＤＥ１０Ａ抗体複合体のモル濃度を遊離抗体と遊離抗原のモル濃度で除して得られる値である。多数のエピトープに対して親和性が不均一なポリクローナル抗体医薬のＫａは、ＥＣＭＲＰに対する抗体の平均親和性または結合活性を表す。特定のエピトープに単一特異的なモノクローナル抗体試薬のＫａは、親和性の真の測定値を表す。Ｋａ値が１０９〜１０１２Ｌ／ｍｏｌの高親和性抗体試薬は、タンパク質抗体複合体が激しい操作に耐えなければならないイムノアッセイに用いるのが好ましい。Ｋａ値が１０６〜１０７ｌ／ｍｏｌの低親和性抗体試薬は、ＥＣＭＲＰが抗体から最終的に活性化状態で解離する必要がある免疫精製（ｉｍｍｕｎｏｐｕｒｉｆｉｃａｔｉｏｎ）及び類似の処理に用いるのが好ましい（Ｃａｔｔｙ， Ｄ． （１９８８） Ａｎｔｉｂｏｄｉｅｓ， Ｖｏｌｕｍｅ Ｉ：Ａ Ｐｒａｃｔｉｃａｌ Ａｐｐｒｏａｃｈ， ＩＲＬ Ｐｒｅｓｓ， Ｗａｓｈｉｎｇｔｏｎ ＤＣ； Ｌｉｄｄｅｌｌ及びＣｒｙｅｒ （１９９１） Ａ Ｐｒａｃｔｉｃａｌ Ｇｕｉｄｅ ｔｏ Ｍｏｎｏｃｌｏｎａｌ Ａｎｔｉｂｏｄｉｅｓ， Ｊｏｈｎ Ｗｉｌｅｙ， Ｎｅｗ Ｙｏｒｋ ＮＹ）。
【００７７】
アッセイのための分子の標識化
多岐にわたるレポーター分子及び結合方法が、当業者に知られており、様々な核酸アッセイ、アミノ酸アッセイおよび抗体アッセイにこれらの方法を用い得る。標識した分子の合成は、３２Ｐ−ｄＣＴＰ （ＡＰＢ）、Ｃｙ３−ｄＣＴＰまたはＣｙ５−ｄＣＴＰ （Ｏｐｅｒｏｎ Ｔｅｃｈｎｏｌｏｇｉｅｓ， Ａｌａｍｅｄａ ＣＡ）などの標識されたヌクレオチドあるいは３５Ｓ−メチオニン（ＡＰＢ）などのアミノ酸を取り込むための市販のキット（Ｐｒｏｍｅｇａ， Ｍａｄｉｓｏｎ ＷＩ）を用いて達成することが可能である。ヌクレオチドとアミノ酸は、ＢＩＯＤＩＰＹまたはＦＩＴＣ（Ｍｏｌｅｃｕｌａｒ Ｐｒｏｂｅｓ， Ｅｕｇｅｎｅ ＯＲ）等の試薬を用いて分子内に存在するアミン、チオールその他の基への化学結合により蛍光剤、化学発光剤、発色剤及びその他を含む多種の物質を用いて直接標識化することが可能である。
【００７８】
（診断）
核酸アッセイ
ｃＤＮＡ、断片、オリゴヌクレオチド、相補的ＲＮＡ及びＤＮＡ分子そしてＰＮＡは、疾患の診断のために差次的な遺伝子の発現を検出し定量するために用いられる。同様に、ＥＣＭ関連タンパク質を特異結合する抗体は、タンパク質を定量するために用いられる。示差発現と関連する疾患には、癌、特に結腸と肺の癌が含まれる。診断アッセイは、示差遺伝子発現を検出するために患者の生物学的サンプル中の遺伝子発現を基準サンプルと比較する、ハイブリダイゼーションまたは増幅技術を用いる可能性がある。この比較のための定性方法または定量方法は、当分野で公知である。
【００７９】
例えば、ｃＤＮＡあるいはプローブは標準的な方法で標識化され、ハイブリダイゼーション複合体の形成に好適な条件下で患者の生物学的サンプルに加える。インキュベーション期間後、サンプルを洗浄し、ハイブリダイゼーション複合体と関連する標識（またはシグナル）の量を定量して標準値と比較する。正常あるいは病変値と比較して患者サンプルの複合体の形成が著しく変化している場合（高いまたは低い）は、示差発現は疾患の存在を示している。
【００８０】
示差発現を確立する基準となるものを提供するために、正常と疾患の発現プロファイルを確立する。これは、発生するハイブリダイゼーションに好適な条件の下、ｃＤＮＡと動物或いはヒトの何れかの正常な被験者から抽出されたサンプルを結合させることにより達成され得る。精製された配列を既知量用いて行った実験から得た値を正常な対象から得た値と比較することにより、標準ハイブリダイゼーション複合体を定量することができる。このようにして得た標準値は、特定の症状、疾患または障害と診断される患者から得たサンプルから得た値と比較することができる。特定の疾患と関連のある値への標準値からの偏差を、その疾患の診断に用いる。
【００８１】
このようなアッセイを、動物実験または臨床試験における特定の治療効果を推定するため、或いは個々の患者の治療をモニターするために用いることもできる。症状の存在を一旦確定して治療プロトコルを開始すると、診断アッセイを通常ベースで繰り返して、患者の発現レベルが正常な被検者に観察されるレベルに近づき始めたかどうかを測定する。連続アッセイから得られた結果を用いて、数日から数年の期間にわたる治療の効果を示し得る。
【００８２】
タンパク質アッセイ
標識されたアミノ酸または特異的ポリクローナル抗体または特異的モノクローナル抗体を用いるタンパク質の検出と定量は、当分野で公知である。このような技術の例としては、二次元ポリアクリルアミドゲル電気泳動法、酵素に結合した免疫吸着剤検定法（ＥＬＩＳＡ）、ラジオイムノアッセイ（ＲＩＡ）、フローサイトメーター（ＦＡＣＳ）などが挙げられる。これらのアッセイと精製、標識化基準への定量化は当分野で公知である（前出のＡｕｓｕｂｅｌ ｕｎｉｔ １０．１−１０．６）。２つの非干渉エピトープに反応するモノクローナル抗体を用いた、２部位のモノクローナルベースイムノアッセイ（ｔｗｏ−ｓｉｔｅ， ｍｏｎｏｃｌｏｎａｌ−ｂａｓｅｄ ｉｍｍｕｎｏａｓｓａｙ）が好ましいが、競合の結合アッセイも用いることもできる。（Ｃｏｌｉｇａｎ ら（１９９７） Ｃｕｒｒｅｎｔ Ｐｒｏｔｏｃｏｌｓ ｉｎ Ｉｍｍｕｎｏｌｏｇｙ， Ｗｉｌｅｙ−Ｉｎｔｅｒｓｃｉｅｎｃｅ， Ｎｅｗ Ｙｏｒｋ ＮＹ、 前出 Ｐｏｕｎｄを参照）。
【００８３】
治療
ＥＣＭ関連タンパク質（ＳＥＱ ＩＤ ＮＯ：１）と他のＥＣＭ関連タンパク質の領域の間に、特に膜貫通ドメインと幾つかのＬＬＲドメインの化学的及び構造的類似性が存在する。さらに、表２と図３で示されているように示差発現が結腸と肺の癌に強く関連している。ＥＣＭ関連タンパク質は、癌、特に結腸と肺の癌に明らかに関与している。
【００８４】
結腸または肺の癌などのタンパク質の発現の増大に関連する症状の治療においては、発現またはタンパク質活性を低下させることが望ましい。一実施例では、タンパク質のインヒビター、アンタゴニストまたは抗体を患者に投与して、発現または活性の増大に関連した症状を治療することも可能である。別の実施例では、内在性タンパク質の発現または活性の増大に関連した症状の治療のために、インヒビター、アンタゴニストまたは抗体を含む医薬品組成物を医薬用担体と共に患者に投与することも可能である。別の実施例では、症状の治療のために、ｃＤＮＡまたはその断片の相補配列を発現するベクターを患者に投与することも可能である。
【００８５】
ｃＤＮＡ、相補的分子またはその断片、タンパク質またはその部分、これらの核酸分子を送達するまたはタンパク質を発現するベクターそしてそれらのリガンドの何れかを他の薬剤と共に投与することは可能である。併用療法で用いる治療薬は、当業者が従来の医薬原理に従ってを選択し得る。治療薬と組み合わせることにより、各薬剤をより低い投与で特定の疾患の治療に影響する相乗効果をもたらし得る。
【００８６】
核酸を用いる遺伝子発現の変更
ＥＣＭ関連タンパク質をコードする遺伝子の調節５’， ３’や他の調節領域に相補的な配列やアンチセンス分子（ＤＮＡ、ＲＮＡまたはＰＮＡ）を設計して遺伝子発現を変更することができる。転写開始を阻害するように設計されたオリゴヌクレオチドが好ましい。同様に、阻害はポリメラーゼ、転写因子または調節分子の結合を阻害する三重らせん塩基対を用いて達成することができる（Ｇｅｅ ら Ｉｎ： Ｈｕｂｅｒ ａｎｄ Ｃａｒｒ （１９９４） Ｍｏｌｅｃｕｌａｒ ａｎｄ Ｉｍｍｕｎｏｌｏｇｉｃ Ａｐｐｒｏａｃｈｅｓ， Ｆｕｔｕｒａ Ｐｕｂｌｉｓｈｉｎｇ， Ｍｔ． Ｋｉｓｃｏ ＮＹ， １６３−１７７ページ）。相補配列もまた、ｍＲＮＡとリボソームの間に結合するのを阻止することによって翻訳を阻止するように設計することができる。一実施態様では、ライブラリまたは複数のｃＤＮＡを調節配列、翻訳されていない配列を特異結合するものを同定するためにスクリーニングすることが可能である。
【００８７】
リボザイムは酵素性ＲＮＡ分子であり、ＲＮＡの特異的切断を触媒するためにリボザイムを用いることもできる。リボザイム作用のメカニズムは、ＧＵＡ、ＧＵＵ、ＧＵＣ等の部位でのヌクレオチド鎖切断に先立つ相補的標的ＲＮＡへのリボザイム分子の配列特異性ハイブリダイゼーションに関与している。一度それらの部位が同定すると、オリゴヌクレオチドを機能不全にするような２次構造の特徴に対して同じ配列のオリゴヌクレオチドを評価することが可能になる。候補標的の適合性の評価も、リボヌクレアーゼ保護アッセイを用いて相補的オリゴヌクレオチドとのハイブリダイゼーションをテストすることによって行うことができる。
【００８８】
本発明の相補的な核酸及びリボザイムは、ｉｎ ｖｉｔｒｏまたはｉｎ ｖｉｖｏで組換え発現によりあるいは固相フォスフォアミダイト化合物を使用して調製することが可能である。さらに、分子の５’末端、３’末端、あるいはその両方においてフランキング配列を追加したり、分子の主鎖内においてホスホジエステラーゼ結合ではなくホスホロチオネートまたは２’ Ｏ−メチルを使用したりすることにより細胞内の安定性を高め、半減期を長くするためにＲＮＡ分子を修飾することができる。修飾はＰＮＡの産出に固有のものであり、他の核酸分子に拡大することができる。非従来型塩基、例えばイノシン、クエオシン（ｑｕｅｏｓｉｎｅ）、ワイブトシン（ｗｙｂｕｔｏｓｉｎｅ）等を加えること、あるいはアデニン、シチジン、グアニン、チミン、及びウリジンにアセチル−、メチル−、チオ−基の修飾によって内在性エンドヌクレアーゼに対する分子の使用可能性が低下する。
【００８９】
スクリーニング及び精製アッセイ
ＥＣＭ関連タンパク質をコードするｃＤＮＡを使用して、特異結合親和性のためにライブラリあるいは複数の分子または化合物をスクリーニングする。ライブラリは、内在性遺伝子の活性、複製、転写あるいは翻訳を調節するＤＮＡ分子、ＲＮＡ分子、ＰＮＡ、ペプチド、そして転写因子、エンハンサーまたはリプレッサーその他のリガンドなどのタンパク質であり得る。アッセイには、特異結合を可能にする条件下でライブラリまたは複数の分子か複合物とポリヌクレオチドを結合すること、そして一本鎖または二本鎖分子を特異結合する少なくとも１つの分子を同定する特異結合を検出することが含まれる。
【００９０】
一実施例において、本発明のｃＤＮＡを複数の精製された分子または複合物と共にインキュベートすることが可能であり、ゲル阻止アッセイ（ＵＳＰＮ ６，０１０，８４９）または網状赤血球可溶化液転写アッセイ等の当分野で公知である方法によって結合活性を測定することが可能である。別の実施例において、ｃＤＮＡは生検そして／あるいは培養細胞と組織から抽出する核と共にインキュベートすることが可能である。核抽出物のｃＤＮＡと分子あるいは化合物の間の特異結合は、最初ゲルシフトアッセイにより決定される。そして後にその分子または化合物に対して回復、育成する抗体によって確認することが可能である。これらの抗体がアッセイに加えられる時、ゲル阻止アッセイにスーパーシフトが起きる。
【００９１】
別の実施例では、ｃＤＮＡは、当分野で公知であるアフィニティークロマトグラフィー方法を用いて分子あるいは化合物を精製するために使用される。一実施例では、ｃＤＮＡは高分子樹脂またはゲル上で臭化シアン基と化学的に反応する。次にサンプルが除かれ、ｃＤＮＡと反応あるいは結合する。ｃＤＮＡに結合する分子または化合物は、流動媒体の塩の濃度の上昇によりｃＤＮＡから放出され、回収される。
【００９２】
更なる実施例において、タンパク質あるいはその部分をサンプルのリガンドを精製するために用いる可能性がある。リガンドを精製するためにタンパク質またはその部分を使用する方法には、特異結合を許容する条件下でタンパク質またはその部分をサンプルと結合すること、タンパク質とリガンド間の特異結合を検出すること、結合したタンパク質を回収すること、精製したリガンドからタンパク質を分離するためにカオトロピック剤を使用することが関連する。
【００９３】
好適な実施例では、ＥＣＭ関連タンパク質を多様なスクリーニングアッセイの任意の複数の分子または化合物をスクリーニングするために用いる可能性がある。そのようなスクリーニングで用いられたタンパク質の部分は、溶液中で遊離する、非生物的物質または生物的物質に固定させる（例えば細胞表面上に保持される）、あるいは細胞内に位置することになろう。例えば１つの方法では、細胞表面にペプチドを発現そして位置付けしてきた、組換え核酸で安定的に形質転換された生存または固定している原核宿主細胞をスクリーニングアッセイで使用することが可能である。細胞を複数のリガンドあるいはリガンドのライブラリに対してスクリーニングする。そして発現したタンパク質とリガンドの間で結合の特異性または化合物の形成を測定することは可能である。スクリーニングされた特定の種類の分子または化合物に応じて、アッセイをＤＮＡ分子、ＲＮＡ分子、ペプチド核酸、ペプチド、タンパク質、擬態、アゴニスト、アンタゴニスト、抗体、免疫グロブリン、インヒビター、薬剤及び他のリガンドを同定するために用いる可能性があり、そしてタンパク質を特異結合する。
【００９４】
或る実施態様において、本発明はＵＳＰＮ ５，８７６，９４６に記載された非常に小さなアッセイ量と微少量を使用して試験化合物高い処理能力でスクリーニングするための方法を網羅する。当該文献は特に引用することを以って本明細書の一部となす。この方法は、特異結合により多数の分子と化合物をスクリーニングするために用いられる。別の実施様態において本発明は、タンパク質を結合することができる中和抗体が、タンパク質を結合するための試験化合物と特異的に競合する、競合的薬剤スクリーニングアッセイの使用も網羅する。スクリーニングによって同定された分子または化合物は、毒性、診断または可能性のある治療薬を評価するために哺乳動物モデル系で用いられる可能性がある。
【００９５】
薬理学
医薬品成分には、所望の所定目的を達成する有効量の活性成分と医薬用担体が含まれる。有効投与量の決定は、当業者の能力の範囲内で行う。任意の化合物に対して、細胞培養アッセイ或いは動物モデルにおいて、先ず治療の有効投与量を推定することができる。動物モデルは好適な濃度範囲及び投与経路を達成するためにも用い得る。このような情報を用いて、次にヒトに対する有益な投与量及び投与経路を決定することができる。
【００９６】
医学的に効果的な薬用量は、症状や容態を回復させるタンパク質またはインヒビターなどの活性処方成分の量に関連する。そのような薬剤の治療有効度及び毒性は、細胞培養または動物実験における標準的な薬剤手法によって、例えばＥＤ５０（集団の５０％の医薬的有効量）またはＬＤ５０（集団の５０％の致死量）を測定するなどして決定することができる。毒性効果と薬用効果の間の投与量の比は、治療指数であり、ＬＤ５０／ＥＤ５０比として表すことができる。高い治療指数を示すような医薬品成分が望ましい。細胞培養アッセイ及び動物実験から得られたデータは、ヒトに用いるための投与量の範囲を調剤するのに用いられる。
【００９７】
モデル系
動物モデル系は生物学的検定法として用い得る。そこではヒトと類似の表現型反応を示し、また暴露条件が人体暴露と関連する哺乳動物は最も一般的なモデルであり、多くの感染体、癌、薬剤および毒性研究が、低費用、利便性、寿命、生殖可能性、豊富な参照文献ゆえにラットまたはマウス等の齧歯類上で実施される。近交系また非近交系齧歯類は、目的遺伝子の過小発現と過剰発現の生理作用の結果の調査、および疾患の診断と治療のための方法開発のための便利なモデルを提供する。特定の遺伝子を過剰に発現する哺乳動物近交系（例えば乳汁内に分泌する）は、その遺伝子により発現する便利なタンパク質源となり得る。
【００９８】
毒性研究
毒性研究は、生物系上での薬剤影響の研究である。多くの毒性研究は、ラットまたはマウス上で実施される。生理学、行動、恒常性プロセスにおける定性または定量変更そしてラットまたはマウスの死亡率の観察により、毒性プロフィールが生成され、薬剤への暴露の後にヒトの健康に及ぼす潜在的な結果を評価する。
【００９９】
遺伝毒性研究により、内在性、自発的そして誘導された遺伝突然変異の率への薬剤の影響の同定と分析がなされる。遺伝毒性薬剤は、核酸との相互作用を促進する共通の化学的特性また物理的特性を通常は有する。また染色体の異常が子孫に伝達された時最も有害である。毒性研究により、受胎前に親に、妊娠中に母親にあるいは発達中の生物のいずれかに投与された場合子孫の組織中の構造的また機能的異常の頻度が増大する物質を同定することが可能である。マウスまたはラットは、これらの試験で最も頻繁に使用される。なぜなら生殖周期が短いので統計上の必要にかなう多数の生物の繁殖を可能にするからである。
【０１００】
急性毒性試験は、症状改善または薬剤の致死率を決定するために被験者に薬剤を１回投与することに基づいている。３回の実験が実施される。：１）初回投与量範囲を定める実験、２）有効量の範囲を狭める実験、３）用量反応曲線を確定するための最終実験。
【０１０１】
亜慢性毒性試験は、薬剤の連続投与に基づく。ラットとイヌはこれらの研究で一般的に用いられ、様々なファミリーの種のデータを提供する。発癌を除いて、３−４ヶ月の間高投与量濃度で薬剤を毎日投与することにより、成獣における毒性の多くの形態を明らかにするという多くの証拠がある。
【０１０２】
１年以上の期間の慢性毒性試験により、毒性の不存在か薬剤による発癌の可能性を実証する。
【０１０３】
ラットによって研究が実行される時、最小限の３つの試験グループに加えて１つの対照グループが用いられる。実験中、最初また間隔を置いて動物は調べられ、モニターされる。
【０１０４】
遺伝子組換え動物モデル
目的の遺伝子を過剰発現あるいは過小発現する遺伝子組換え齧歯類は近交系であり、ヒト疾患をモデルにするのに用いられ、または治療薬や毒性薬剤を試験するために用いられ得る。（ＵＳＰＮ ５，１７５，３８３、ＵＳＰＮ ５，７６７，３３７等を参照．）。場合によっては、導入された遺伝子は胎児の発育中または出生後の発育中の特定の時間に特定の組織のタイプで活性化する可能性がある。導入遺伝子の発現は、薬物治療法実験への取り組み前、中、後に遺伝子組換え動物の表現型、組織特異的ｍＲＮＡ発現または血清と組織タンパク質レベルの分析によってモニターされる。
【０１０５】
胚性幹細胞
齧歯類の胚から単離された胚性幹細胞（ＥＳ細胞）は、胚組織を形成する可能性を保持する。ＥＳ細胞が担体胚内部に置かれる時、正常な発育を再開して、生きて生まれた動物の組織に寄与する。ＥＳ細胞は実験的ノックアウトとノックイン齧歯類の生成に用いられる好適な細胞である。１２９／ＳｖＪ細胞株等のマウスＥＳ細胞は初期のマウス胚に由来し、当分野で公知の培養条件下で増殖させることができる。遺伝子組換え類を産生するのに用いられたベクターには、疾患遺伝子候補と標識遺伝子が含まれる。後者は導入された疾患遺伝子の存在を同定することに役立つ。ベクターは当分野で公知の方法でＥＳ細胞に形質転換する。そして形質転換したＥＳ細胞を同定し、例えばＣ５７ＢＬ／６マウス系等から採取したマウス細胞胚盤胞に微量注入する。胚盤胞を偽妊娠メスに外科的に導入し、得られるキメラ子孫の遺伝形質を決め、これを交配させてヘテロ接合性系またはホモ接合性系を作製する。
【０１０６】
ヒト胚盤胞由来のＥＳ細胞は、ｉｎ ｖｉｔｒｏ で少なくとも８つの別々の細胞系統に分化するよう操作することが可能である。これらの系統はｉｎ ｖｉｔｒｏで様々な細胞のタイプと組織の分化を研究するのに用いられ、例えば神経細胞、造血系統及び心筋細胞に分化する内胚葉、中胚葉及び外胚葉の細胞の種類を含む。
【０１０７】
ノックアウト分析
遺伝子ノックアウト分析では、哺乳動物遺伝子の領域はネオマイシンホスホトランスフェラーゼ遺伝子（ｎｅｏ： Ｃａｐｅｃｃｈｉ（１９８９） Ｓｃｉｅｎｃｅ ２４４：１２８８−１２９２）等の非哺乳動物遺伝子を含むよう酵素処理で修飾される。修飾された遺伝子は、培養したＥＳ細胞に形質転換され、相同組換えにより内因性ゲノムに組み込まれる。挿入された配列は、内在性遺伝子の転写と翻訳を破壊する。形質転換細胞を齧歯類胞胚に注入し、その胞胚を偽妊娠メスに移植する。遺伝子組換え子孫は、哺乳動物遺伝子の機能複製を欠くホモ接合性近交系を得るために交配される。一例では、哺乳動物遺伝子はヒト遺伝子である。
【０１０８】
ノックイン分析
ＥＳ細胞を用いて、ヒト疾患の「ノックイン」ヒト化動物（ブタ）または遺伝子組換え動物モデル（マウスまたはラット）を作製することが可能である。ノックイン技術を用いて、ヒト遺伝子の或る領域を動物ＥＳ細胞に注入し、注入したヒト配列を動物細胞ゲノムに組み込ませる。形質転換細胞を胞胚に注入し、胞胚を上記のように移植する。遺伝子組換え子孫または近交系について研究し、可能性のある医薬品を用いて処理し、類似のヒトの症状の治療に関する情報を得る。これらの方法は、幾つかのヒト疾患をモデル化するために用いられてきた。
【０１０９】
非ヒト霊長類モデル
動物実験の分野では、生理学、遺伝学、化学、薬理学、統計学等の基礎科学のデータと方法論を扱う。これらのデータは、ヒトの健康に関連している可能性があるので非ヒト霊長類での治療薬の影響を評価する点で傑出している。ワクチンと薬物の評価においてサルがヒトの代用に用いられる。またサルの反応が類似の条件下で人体暴露と関連する。 このような調査では、カニクイザルとアカゲザル（それぞれＭａｃａｃａ ｆａｓｃｉｃｕｌａｒｉｓとＭａｃａｃａ ｍｕｌａｔｔａ）、コモンマモセット（Ｃａｌｌｉｔｈｒｉｘ ｊａｃｃｈｕｓ）が最も一般的に用いられる非ヒト霊長類（ＮＨＰ）である。ＮＨＰのコロニーの発達と維持には多額の費用がかかるため、齧歯類のモデルでは初期の調査と毒性研究が通常は実施される。薬物常用などの行動測定を利用する研究では、ＮＨＰが最初に実験動物に選ばれる。さらに、ＮＨＰと個々のヒトは多くの薬剤と毒素に異なる感受性を示す。またこれらの薬剤の「広範囲のメタボライザー」から「代謝不良体質」まで表現型の範囲として分類することが可能性である。
【０１１０】
別の実施例では、発展途上の分子生物学技術にタンパク質をコードするｃＤＮＡを用いて、限定はされないが、現在知られているトリプレット暗号及び特異的な塩基対相互作用などのｃＤＮＡの特性に依存する新しい技術を提供することができる。
【０１１１】
（実施例）
下記の実施例は、目的の本発明を説明するために提供される。また本発明を限定する目的は含まれていない。ヒト結腸ポリープライブラリ、ＣＯＬＤＮＯＴ０１の準備が説明される。
【０１１２】
１  ｃＤＮＡライブラリ作製
ＣＯＬＤＮＯＴ０１
ＣＯＬＤＮＯＴ０１ライブラリは、１６才男子の部分結腸切除術、一時的回腸造瘻術、結腸内視術中に病変下行結腸組織から単離したＲＮＡを用いて作製した。病理学検査では、家族性結腸ポリポーシスの凝結での結腸粘膜全体が関係する低グレードの形成異常のある無数の（１００以上）腺腫性ポリープが見られた。
【０１１３】
ＰＯＬＹＴＲＯＮ ホモジナイザー（Ｂｒｉｎｋｍａｎｎ Ｉｎｓｔｒｕｍｅｎｔｓ， Ｗｅｓｔｂｕｒｙ ＮＪ）を使用して、凍結組織をホモジナイズして、グアニジニウムイソチオシアネート溶液に溶解する。溶解産物を、Ｌ８７０Ｍ超遠心分離機（Ｂｅｃｋｍａｎ Ｃｏｕｌｔｅｒ， Ｆｕｌｌｅｒｔｏｎ ＣＡ）でＳＷ２８ ローターを使用して５．７Ｍの塩化セシウムクッション上で１８時間、２５，０００ ｒｐｍ、室温で遠心分離した。ＲＮＡをｐＨ ４．７の酸性フェノールで抽出した、そして０．３ Ｍの酢酸ナトリウムと２．５倍量のエタノールを用いて析出して、ＲＮアーゼのない水で再懸濁し、３７℃でＤＮアーゼ処理した。ｐＨ ４．７の酸性フェノールでの抽出と、酢酸ナトリウムとエタノールによる析出を繰り返した。ｍＲＮＡをＯＬＩＧＯＴＥＸキット（Ｑｉａｇｅｎ， Ｃｈａｔｓｗｏｒｔｈ ＣＡ）で単離して、ｃＤＮＡライブラリの作製のために用いた。
【０１１４】
ｍＲＮＡをｍＲＮＡのポリ（Ａ）テイルにおいて第一鎖ｃＤＮＡ合成を誘導するよう設計された、ＮｏｔＩプライマーアダプタを含むＳＵＰＥＲＳＣＲＩＰＴプラスミドシステム（Ｌｉｆｅ Ｔｅｃｈｎｏｌｏｇｉｅｓ）で推奨されたプロトコルに従って処理した。二本鎖ｃＤＮＡは鈍くなり、ＥｃｏＲＩアダプタに連結反応させ、ＮｏｔＩ （Ｎｅｗ Ｅｎｇｌａｎｄ Ｂｉｏｌａｂｓ， Ｂｅｖｅｒｌｙ ＭＡ）で消化した。ｃＤＮＡをＳＥＰＨＡＲＯＳＥ ＣＬ４Ｂカラム（ＡＰＢ）上で分画して、そのうち４００ｂｐを超えるｃＤＮＡはｐＩＮＣＹ プラスミド（Ｉｎｃｙｔｅ Ｇｅｎｏｍｉｃｓ）に連結反応させた。プラスミドｐＩＮＣＹは、引き続いてＤＨ５α 大腸菌細胞（Ｌｉｆｅ Ｔｅｃｈｎｏｌｏｇｉｅｓ）に形質転換させた。
【０１１５】
２  ｐＩＮＣＹプラスミドの作製
プラスミドをＥｃｏＲＩ制限酵素（Ｎｅｗ Ｅｎｇｌａｎｄ Ｂｉｏｌａｂｓ， Ｂｅｖｅｒｌｙ ＭＡ）と共にｐＳＰＯＲＴ１プラスミド（Ｌｉｆｅ Ｔｅｃｈｎｏｌｏｇｉｅｓ）を消化して、クレノウ酵素（Ｎｅｗ Ｅｎｇｌａｎｄ Ｂｉｏｌａｂｓ）と２’−デオキシヌクレオチド５’−３リン酸（ｄＮＴＰ）を用いて張出部（ｏｖｅｒｈａｎｇ）末端を満たすことにより作製した。プラスミドは自己連結反応して、細菌性宿主大腸菌株ＪＭ１０９に形質転換した。
【０１１６】
仲介プラスミド、ｐＳＰＯＲＴ １−＿ＲＩはＥｃｏＲＩでは消化しなかった。そしてＨｉｎｄ ＩＩＩ （Ｎｅｗ Ｅｎｇｌａｎｄ Ｂｉｏｌａｂｓ）で消化し、張出部（ｏｖｅｒｈａｎｇ）末端をクレノウとｄＮＴＰで満たした。リンカー配列をリン酸化して、５’平滑末端上に連結反応させ、ＥｃｏＲＩで消化してから、自己連結反応させた。ＪＭ１０９宿主細胞への形質転換後に、プラスミドを単離してＥｃｏＲＩとの優先的消化性を検査したが、Ｈｉｎｄ ＩＩＩとではない。この基準にかなう単一のコロニーを、ｐＩＮＣＹプラスミドと名付けた。
【０１１７】
ＮｏｔＩ、ＥｃｏＲＩ 制限酵素を用いて準備したライブラリのｃＤＮＡを組み込む能力に関してプラスミドを試験した後に、幾つかのクローンを配列化して、多量のプラスミドを準備するための中から約０．８ ｋｂの挿入を含む単一クローンを選択した。ライブラリ作製で使用するために、ＮｏｔＩ、ＥｃｏＲＩで消化した後に、アガロースゲル上でプラスミドを単離して、ＱＩＡＱＵＩＣＫカラム（Ｑｉａｇｅｎ）を用いて精製した。
【０１１８】
３  ｃＤＮＡクローンの単離とシークエンシング
プラスミドＤＮＡを細胞から放出して、ＭＩＮＩＰＲＥＰキット （Ｅｄｇｅ Ｂｉｏｓｙｓｔｅｍｓ， Ｇａｉｔｈｅｒｓｂｕｒｇ ＭＤ）またはＲＥＡＬ ＰＲＥＰ ９６ プラスミドキット（Ｑｉａｇｅｎ）のいづれかを用いて精製した。キットには、９６０精製のためリガンドでブロックする９６−ウェルから成る。推奨されているプロトコルを下記の変更を除いて使用する。１）細菌をカルベニシリン２５ ｍｇ／ｌと０．４％のグリセロールで、殺菌したＴＥＲＲＩＦＩＣ ＢＲＯＴＨ（ＢＤ Ｂｉｏｓｃｉｅｎｃｅｓ， Ｓｐａｒｋｓ ＭＤ）１ ｍｌで培養した。２） 注射後、細胞を１９時間培養し、次いで０．３ ｍｌの溶解バッファで溶解した。そして３） イソプロパノール沈殿後、プラスミドＤＮＡペレットを０．１ ｍｌの蒸留水で再懸濁した。プロトコルの最終ステップ後に、サンプルを９６−ウェルブロックに移して、４℃で保管した。
【０１１９】
ｃＤＮＡをＤＮＡ ＥＮＧＩＮＥ サーマルサイクラー（ＭＪ Ｒｅｓｅａｒｃｈ）と併用してＭＩＣＲＯＬＡＢ ２２００システム（Ｈａｍｉｌｔｏｎ）を使用して、シークエンシングのために調製した。ｃＤＮＡをＡＢＩ ＰＲＩＳＭ ３７７シークエンシングシステム（Ａｐｐｌｉｅｄ Ｂｉｏｓｙｓｔｅｍｓ）またはＭＥＧＡＢＡＣＥ １０００ ＤＮＡシークエンシングシステム（ＡＰＢ）を用いてＳａｎｇｅｒとＣｏｕｌｓｏｎ（１９７５； Ｊ Ｍｏｌ Ｂｉｏｌ ９４：４４１−４４８）の方法で配列化した。多くの単離は、溶液体積０．２５ｘ−１．０ｘ濃度の標準ＡＢＩプロトコルとキット（Ａｐｐｌｉｅｄ Ｂｉｏｓｙｓｔｅｍｓ）に従って配列化された。別法では、ｃＤＮＡをＡＰＢの溶液と色素を用いて配列化した。
【０１２０】
４  ｃＤＮＡ配列の伸長
ｃＤＮＡクローンとオリゴヌクレオチドプライマーを用いて、ｃＤＮＡを伸長した。一方のプライマーは既知の断片の５’伸長を開始するべく合成し、他方のプライマーは既知の断片の３’伸長を開始するべく合成した。開始プライマーは、市販のプライマー分析ソフトウエアを用いて、約２２個から約３０個のヌクレオチドの長さで約５０％以上のＧＣ含量を有し、かつ約６８〜７２℃の温度で標的配列にアニールするように設計した。ヘアピン構造及びプライマー−プライマー二量体が生じないようにヌクレオチドを伸長した。
【０１２１】
配列を伸長するために、鋳型として選択されたｃＤＮＡライブラリを用いた。２段階以上の伸長が必要な場合には、付加的プライマー或いはプライマーのネステッドセットを設計した。好適なライブラリのサイズを選択して、更に遺伝子の５’または上流領域を有する配列を含めるために大きなｃＤＮＡとランダムプライマーを含めた。ゲノムライブラリを特に５’プロモーター結合領域への伸長する調節領域を得るために使用する。
【０１２２】
高忠実度の増幅をＵＳＰＮ ５，９３２，４５１で開示された方法を利用したＰＣＲ法によって得た。 ＰＣＲ法をＤＮＡ ＥＮＧＩＮＥ サーマルサイクラー（ＭＪ Ｒｅｓｅａｒｃｈ．）を用いて９６穴プレート内で実施した。反応混合液は、鋳型ＤＮＡ及び２００ ｎｍｏｌの各プライマー、Ｍｇ２＋と（ＮＨ４）２ＳＯ４とβ−メルカプトエタノールを含む反応バッファー、Ｔａｑ ＤＮＡポリメラーゼ（ＡＰＢ）、ＥＬＯＮＧＡＳＥ酵素（Ｌｉｆｅ Ｔｅｃｈｎｏｌｏｇｉｅｓ）、Ｐｆｕ ＤＮＡポリメラーゼ（Ｓｔｒａｔａｇｅｎｅ）を含む。 プライマーの組、ＰＣＩ ＡとＰＣＩ Ｂ（Ｉｎｃｙｔｅ Ｇｅｎｏｍｉｃｓ）に対して以下のパラメータで増幅を行った。：ステップ １：９４℃で３分間、ステップ ２：９４Ｃで１５秒間、ステップ ３：６０Ｃで１分間、ステップ ４：６８Ｃで２分間、ステップ ５：ステップ２、３、及び４を２０回繰り返す。ステップ ６：６８Ｃで５分間、ステップ ７：４℃で保管。別法では、プライマーの組、Ｔ７とＳＫ＋（Ｓｔｒａｔａｇｅｎｅ）に対して以下のパラメータで増幅を行った。ステップ １：９４℃で３分間、ステップ ２：９４Ｃで１５秒間、ステップ ３：５７Ｃで１分間、ステップ ４：６８Ｃで２分間、ステップ ５：ステップ２、３、及び４を２０回繰り返す。ステップ ６：６８Ｃで５分間、ステップ ７：４℃で保管。
【０１２３】
各ウェルのＤＮＡ濃度は、１Ｘ ＴＥ及び０．５μｌの希釈していないＰＣＲ産物に溶解した１００μｌのＰＩＣＯＧＲＥＥＮ定量試薬（０．２５％ ｒｅａｇｅｎｔ ｉｎ １ｘ ＴＥ， ｖ／ｖ； Ｍｏｌｅｃｕｌａｒ Ｐｒｏｂｅｓ）を不透明な蛍光光度計プレート（Ｃｏｍｉｎｇ Ｃｏｓｔａｒ， Ａｃｔｏｎ ＭＡ）の各ウェルに分配してＤＮＡが試薬と結合できるようにして測定する。サンプルの蛍光を計測してＤＮＡの濃度を定量するべくプレートをＦｌｕｏｒｏｓｋａｎ ＩＩ （Ｌａｂｓｙｓｔｅｍｓ Ｏｙ）でスキャンした。反応混合物のアリコート５〜１０μｌを１％アガロースミニゲル上で電気泳動法によって解析し、どの反応が配列の伸長に成功したかを決定した。
【０１２４】
伸長させたクローンは、脱塩及び濃縮して３８４穴プレートに移し、ＣｖｉＪＩコレラウイルスエンドヌクレアーゼ（Ｍｏｌｅｃｕｌａｒ Ｂｉｏｌｏｇｙ Ｒｅｓｅａｒｃｈ， Ｍａｄｉｓｏｎ ＷＩ）を用いて消化し、ｐＵＣ １８ベクター（ＡＰＢ）への再連結反応前に音波処理またはせん断した。ショットガン・シークエンシングのために、消化したヌクレオチド配列を低濃度（０．６〜０．８％）のアガロースゲル上で分離し、断片を切除し、寒天をＡＧＡＲＡＣＥ酵素（Ｐｒｏｍｅｇａ）で消化した。伸長させたクローンをＴ４ＤＮＡ（Ｎｅｗ Ｅｎｇｌａｎｄ Ｂｉｏｌａｂｓ）を用いてｐＵＣ １８ベクター（ＡＰＢ）に再連結し、Ｐｆｕ ＤＮＡポリメラーゼ（Ｓｔｒａｔａｇｅｎｅ）で処理して制限部位の張出部（ｏｖｅｒｈａｎｇ）を満たし、大腸菌細胞に形質移入した。形質移入した細胞を選択して抗生物質を含む培地に移し、それぞれのコロニーを切りとってＬＢ／２Ｘカルベニシリン培養液の３８４ウェルプレートに３７℃で一晩培養した。
【０１２５】
細胞を溶解して、Ｔａｑ ＤＮＡポリメラーゼ（ＡＰＢ）及びＰｆｕ ＤＮＡポリメラーゼ（Ｓｔｒａｔａｇｅｎｅ）を用いて以下の手順でＤＮＡをＰＣＲ増幅した。ステップ １：９４℃で３分間、ステップ ２：９４Ｃで１５秒間、ステップ ３：６０Ｃで１分間、ステップ ４：７２Ｃで２分間、ステップ ５：ステップ２、３及び４を２９回繰り返す。ステップ ６：７２Ｃで５分間、ステップ ７：４℃で保管。上記したようにＰＩＣＯＧＲＥＥＮ定量試薬（Ｍｏｌｅｃｕｌａｒ Ｐｒｏｂｅｓ）でＤＮＡを定量化した。ＤＮＡの回収率が低いサンプルは、上記と同一の条件を用いて再増幅した。サンプルは２０％ジメチルスルホキシド（ＤＭＳＯ； １：２， ｖ／ｖ）で希釈し、ＤＹＥＮＡＭＩＣ エネルギートランスファー シークエンシングプライマー、及びＤＹＥＮＡＭＩＣ ＤＩＲＥＣＴサイクルシークエンシングキット（ＡＰＢ）またはＡＢＩ ＰＲＩＳＭ ＢＩＧＤＹＥ ターミネーターサイクル シークエンシング反応キット（Ａｐｐｌｉｅｄ Ｂｉｏｓｙｓｔｅｍｓ）を用いてシークエンシングした。
【０１２６】
５  ｃＤＮＡクローンの相同性検索と推定タンパク質
配列表のｃＤＮＡまたは推定アミノ酸配列を用いて、ＧｅｎＢａｎｋ、ＳｗｉｓｓＰｒｏｔ、ＢＬＯＣＫＳなどのデータベースに問合せした。ＢＬＡＳＴかＢＬＡＳＴ２を用いて前もって同定した、またアノテーションが付けられた配列あるいはドメインを含むこれらのデータベースを検索して、アラインメントを生成し、どの配列が厳密に一致するか、または相同的かを決定した。アラインメントを原核（細菌性）または真核（動物、カビあるいは植物）生物のシ−クエンシングした。別法として、ＳｍｉｔｈとＳｍｉｔｈ （１９９２， Ｐｒｏｔｅｉｎ Ｅｎｇｉｎｅｅｒｉｎｇ ５：３５−５１）で説明されているようなアルゴリズムを用いて、一次配列パターンと二次構造ギャップペナルティで処理することが可能であった。この出願で開示されているすべての配列は、少なくとも４９ヌクレオチドの長さを有し、不要な塩基は１．２％に過ぎない（Ａ、Ｃ、ＧまたはＴよりもＮが記録されている）。
【０１２７】
ＫａｒｌｉｎとＡｌｔｓｃｈｕｌ （１９９３； Ｐｒｏｃ Ｎａｔｌ Ａｃａｄ Ｓｃｉ ９０：５８７３−５８７７）で詳説されているように、問合せ配列とデータベース配列の間のＢＬＡＳＴ一致を統計的に評価して、ヌクレオチドに１０−２５、ペプチドに１０−２５の閾値を満たす時のみ報告した。下記のように計算して積スコアによって、相同性も評価した。ＢＬＡＳＴのヌクレオチドあるいはアミノ酸の一致率［問い合わせ配列と参照配列間］に最大限ＢＬＡＳＴスコアを乗じ［問い合わせ配列と参照配列の長さに基づく］、次いで１００で除する。実験室で用いるハイブリダイゼーション法と比較して、厳密な一致のストリンジェンシーを約４０の下限（不要な塩基のために１−２％のエラーがある）から約７０の１００％一致まで設定した。
【０１２８】
ＢＬＡＳＴソフトウエア一式（ＮＣＢＩ， Ｂｅｔｈｅｓｄａ ＭＤ、ｈｔｔｐ：／／ｗｗｗ．ｎｃｂｉ．ｎｌｍ．ｎｉｈ．ｇｏｖ／ｇｏｒｆ／ｂｌ２．ｈｔｍｌ）には、ヌクレオチド配列をアラインメントする「ｂｌａｓｔｎ」、ヌクレオチド配列またはアミノ酸配列を対で直接比較するために用いるＢＬＡＳＴ ２など多種の配列分析プログラムが含まれる。ＢＬＡＳＴプログラムは、一般的には、ギャップ及びデフォルト設定に設定された他のパラメータと共に用いる。例えば：Ｍａｔｒｉｘ：ＢＬＯＳＵＭ６２； Ｒｅｗａｒｄ ｆｏｒ ｍａｔｃｈ：１； Ｐｅｎａｌｔｙ ｆｏｒ ｍｉｓｍａｔｃｈ：−２； オープンギャップ５ 及び伸長ギャップ：２ ペナルティ； ギャップ ｘ ｄｒｏｐ−ｏｆｆ：５０； Ｅｘｐｅｃｔ：１０； Ｗｏｒｄ Ｓｉｚｅ：１１； 及びＦｉｌｔｅｒ：ｏｎ同一性は配列全体の長さにより測定する。Ｂｒｅｎｎｅｒ ら （１９９８； Ｐｒｏｃ Ｎａｔｌ Ａｃａｄ Ｓｃｉ ９５：６０７３−６０７８， 文献は、引用することをもって本明細書の一部とする）は配列同一性によって構造的相同性を同定する能力に関してＢＬＡＳＴを分析した。少なくとも１５０残基の配列アラインメントには信頼できる閾値は３０％の同一性であり、少なくとも７０残基のアラインメントに関しては４０％であることがわかった。
【０１２９】
この出願のｃＤＮＡをアセンブルしたコンセンサス配列あるいはＬＩＦＥＳＥＱ ＧＯＬＤデータベース（Ｉｎｃｙｔｅ Ｇｅｎｏｍｉｃｓ）で見つけた鋳型と比較した。ｃＤＮＡ、伸長、全長およびショットガン・シークエンシングプロジェクトの構成エレメント配列をＰＨＲＥＤ分析にかけて、質のスコアを割り当てた。質のスコアが許容できるすべての配列を多様な予備処理にかけ、経路を編集する。そして低品質の３’ 末端、ベクターとリンカー配列、ポリＡテイル、Ａｌｕ 繰返し、ミトコンドリア及びリボゾーム配列、細菌汚染配列を除去する。編集した配列は少なくとも長さが５０ ｂｐであり、ジヌクレオチド反復、Ａｌｕ反復などの情報に乏しい配列と反復エレメントを”Ｎｓ”あるいはマスクしたものに置換した。
【０１３０】
編集した配列は、配列が遺伝子ビンに割り当てられた構築処理にかけられた。各配列は１つのビンに所属することができたのみであり、各ビンの配列を構築して、鋳型を作製した。ＢＬＡＳＴとＣＲＯＳＳＭＡＴＣＨを用いて、新たに配列化した部分を既存のビンに加えた。前記の部分配列をビンに加えるために、１５０以上のＢＬＡＳＴ質のスコアと少なく８２％の局所同一性のアラインメントを有しなければならない。ＰＨＲＡＰを用いて、各ビンの配列を構築した。ＤＥＥＰ ＰＨＲＡＰを用いて、幾つかの重畳部分配列を有するビンを構築した。部分配列の数と配向に基づいて、各鋳型の配向を決定した。
【０１３１】
ビンを互いに比較して、少なくとも８２％ の局所類似性を有するビンを結合して、再構築した。９５％以下の局所同一性である鋳型を有するビンを分離した。ＳＴＩＴＣＨＥＲ／ＥＸＯＮ ＭＡＰＰＥＲアルゴリズムによって鋳型を分析にかけ、スプライス変異体、或いはスプライスエキソン、スプライス接合部、組織のタイプや疾患状態全体の選択的スプライシングされた遺伝子の示差発現などの存在の確率を決定した。構築処理を周期的に繰り返した。そしてＢＬＡＳＴを用いてＧｂｐｒｉなどのＧｅｎＢａｎｋデータベースに対して鋳型にアノテーションを付けた。厳密な一致について、２００の塩基対に対して９５％の局所同一性から１００の塩基対に対して１００％の局所同一性を有すると定義した。また相同一致については、Ｅ−ｖａｌｕｅ （または確率値）＜１ ｘ １０−８を有すると定義した。鋳型をＧＥＮＰＥＰＴに対するフレームシフト型ＦＡＳＴｘ にもかけた。相同一致をＥ−ｖａｌｕｅ ＜１ ｘ １０−８を有すると定義した。鋳型分析と構築については１９９９年３月２５日に提出したＵＳＳＮ ０９／２７６，５３４に記載されている。
【０１３２】
構築に続いて、鋳型をＢＬＡＳＴ、モチーフその他の機能的分析にかけて、１９９７年３月６日に提出したＵＳＳＮ ０８／８１２，２９０、ＵＳＳＮ ０８／８１１，７５８、１９９７年１０月９日に提出したＵＳＳＮ ０８／９４７，８４５、１９９８年３月４日に提出したＵＳＳＮ ０９／０３４，８０７等に記載されているタンパク質階層に分類した。３つの全フォワードリーディングフレームで各鋳型を翻訳することにより、またＨＭＭＥＲ ソフトウエアパッケ−ジ（Ｗａｓｈｉｎｇｔｏｎ Ｕｎｉｖｅｒｓｉｔｙ Ｓｃｈｏｏｌ ｏｆ Ｍｅｄｉｃｉｎｅ， Ｓｔ． Ｌｏｕｉｓ ＭＯ； ｈｔｔｐ：／／ｐｆａｍ．ｗｕｓｔｌ．ｅｄｕ／）を用いて隠れマルコフモデル（ＨＭＭ）を基にした保存されたタンパク質ファミリードメインのＰＦＡＭデータベースに対する各翻訳を検索することにより鋳型を分析した。 ＭＡＣＤＮＡＳＩＳ ＰＲＯソフトウエア（Ｈｉｔａｃｈｉ Ｓｏｆｔｗａｒｅ Ｅｎｇｉｎｅｅｒｉｎｇ）とＬＡＳＥＲＧＥＮＥソフトウエア（ＤＮＡＳＴＡＲ）を用いてｃＤＮＡを更に分析した。そして公共のデータベース、例えばＧｅｎＢａｎｋのげっ歯類、哺乳動物、脊椎動物、原核生物、真核生物のデータベースと、ＳｗｉｓｓＰｒｏｔ、ＢＬＯＣＫＳ、ＰＲＩＮＴＳ、ＰＦＡＭそしてＰｒｏｓｉｔｅに問い合わせた。
【０１３３】
６  染色体マッピング
スタンフォード・ヒトゲノムセンター（ＳＨＧＣ）、ホワイトヘッド・ゲノム研究所（ＷＩＧＲ）、Ｇｅｎｅｔｈｏｎ等の公的な情報源から入手可能な放射線ハイブリッド及び遺伝地図データを用いて、配列表に存在するｃＤＮＡが前もってマッピングされたかを測定した。マッピングされたＥＣＭ関連タンパク質をコードするｃＤＮＡの断片は、すべての関連する調節配列とコード配列を同じ位置に割り当てる。遺伝地図上の位置は、ヒト染色体の範囲または間隔として表される。ｃＭ間隔の地図上の位置は、染色体のｐアームの末端に関連して測定する（ヒト中のＤＮＡの１メガベース（Ｍｂ）にほぼ等しい）。
【０１３４】
７  ハイブリダイゼーション技術と分析
組織サンプルの調製
Ｈｕｎｔｓｍａｎ Ｃａｎｃｅｒ Ｉｎｓｔｉｔｕｔｅ， （Ｓａｌｔ Ｌａｋｅ Ｃｉｔｙ， ＵＴ）が、一致した正常な結腸と癌性の結腸または結腸ポリープ組織のサンプルを提供した。下記の様に記載されている。：供与者３７５４、性別および年齢不明、ｐｅｎｄｕｎｃｕｌａｔｅｄ 結腸ポリープ；供与者３７５５、性別および年齢不明、ポリープ、家族病歴に結腸癌；供与者３５８３、５８才、男性、腺管絨毛腺腫（ポリープ）、患者は過形成性ポリープとも診断された。；供与者３３１１、８５才、男性、浸潤、低分化腺癌、転移性、２／９ リンパ節陽性、ＴＮＭ分類；Ｔ４、Ｎ１、Ｍｘ、患者は多発管状腺腫とも診断された。；供与者３８３９、６０才、性別不明、結腸癌、病理学報告無し。；供与者４６１４、６７才、性別不明、結腸腺癌、中分化、ＤＵＫＥ’Ｓ Ｂ、ＴＮＭ分類；Ｔ３、Ｎ０．表２では、供与者サンプル３７５４、３７５５、３３１１を供与者３７５３と名付けられた、３人の提供者の正常な結腸組織を集めた通常の対照組織と比較した。他のすべての比較を同一の提供者からの一致した正常組織および腫瘍組織に対して行った。
【０１３５】
一致した正常組織と腫瘍組織のサンプル（提供者ＩＤ５７９６、５８００）をＲｏｙ Ｃａｓｔｌｅ Ｉｎｔｅｒｎａｔｉｏｎａｌ Ｉｎｓｔｉｔｕｔｅ ｆｏｒ Ｃａｎｃｅｒ Ｒｅｓｅａｒｃｈ （Ｌｉｖｅｒｐｏｏｌ， Ｕｎｉｔｅｄ Ｋｉｎｇｄｏｍ）から得た。提供者５７９６は６６才の男性であり、有棘細胞癌を患っている。提供者５８００は７５才の女性であり、有棘細胞癌を患っている。
【０１３６】
Ｃｌｏｎｔｅｃｈ Ｌａｂｏｒａｔｏｒｉｅｓ Ｉｎｃ． （Ｐａｌｏ Ａｌｔｏ ＣＡ）から、下記の規準化されたヒト、成人、正常な組織の第一鎖ｃＤＮＡ調製を得た。心臓、２５―５９才の１６人の白人男女から集めた；脳（全体）、４３−５５才の４人の白人男性から集めた；胎盤、２２―３５才の１０人の白人女性から集めた；肺、２４―３２才の２人の白人女性から集めた；肝臓、３５才の白人男性；骨格筋、２０―６０才の３５人の白人男女から集めた；腎臓、２４―５５才の１４人の白人男女から集めた；膵臓、２５―５９才の２０人の白人男女から集めた；脾臓、２４―６１才の６人の白人男女から集めた；胸腺、１８―３２才の９人の白人男女から集めた；前立腺、２０―５８才の２０人の白人から集めた；精巣、１４―６４才の４５人の白人から集めた；卵巣、１７―６０才の７人の白人から集めた；小腸、１５―５７才の３２人の白人男女から集めた；結腸、１７―７６才の２０人の白人男女から集めた（内部粘膜を含む）；末梢血白血球、１８―４０才の白人男女から集めた。すべてのサンプルはＨＩＶ−Ｉ、ＨＩＶ−ＩＩ、Ｂ型肝炎、梅毒に対して陰性であった。
ＨＴ−２９ ヒトの結腸直腸腺癌細胞株をＡｍｅｒｉｃａｎ Ｔｙｐｅ Ｃｕｌｔｕｒｅ Ｃｏｌｌｅｃｔｉｏｎ （ＡＴＣＣ， Ｍａｎａｓｓａｓ ＶＡ）から得た。そしてサプライヤー仕様書に基づいて培養した。
【０１３７】
基質上のｃＤＮＡの固定
下記の方法の１つによってｃＤＮＡを基質に適用する。ゲル電気泳動法によりｃＤＮＡの混合を分画し、キャピラリー転移によりナイロン膜に転移する。別法として、ｃＤＮＡを個々にベクターに連結反応させ、細菌性宿主細胞に挿入してライブラリを形成する。次に下記の方法の１つによってｃＤＮＡを基質に配置する。最初の方法では、個々のコロニーを含む細菌細胞をロボット利用して切りとり、ナイロン膜に配置する。膜を選択培地（用いられたベクターに依存してカルベニシリン、カナマイシン、アンピシリンまたはクロラムフェニコール）を含むＬＢ寒天に置き、３７℃で１６時間インキュベートする。寒天から膜を取り除き、連続して１０％ ＳＤＳ変性溶液（１．５ Ｍ ＮａＣｌ， ０．５ Ｍ ＮａＯＨ ）中に結腸側面を置く。そして溶液を中和（１．５ Ｍ ＮａＣｌ， １ Ｍ Ｔｒｉｓ， ｐＨ ８．０）し、２ｘＳＳＣで各１０分２回行う。次に膜をＳＴＲＡＴＡＬＩＮＫＥＲ ＵＶ架橋剤（Ｓｔｒａｔａｇｅｎｅ）でＵＶ 照射する。
【０１３８】
２番目の方法では、インサートの側面に位置するベクター配列に相補的なプライマーを用いて、ｃＤＮＡを３０サイクルのＰＣＲで細菌ベクターから増幅する。ＰＣＲ増幅で１〜２ｎｇの初期量の核酸から５μｇより大きい最終量まで増大する。ＳＥＰＨＡＣＲＹＬ−４００ ビーズ（ＡＰＢ）を用いて長さが４００ ｂｐから約５０００ ｂｐまで増幅した核酸を精製する。手であるいはドット／スロットブロット法マニホールドと吸気装置を用いて精製核酸をナイロン膜に置く。そして上述した変性、中和、ＵＶ照射により固定する。ＵＳＰＮ ５，８０７，５２２に記載されている方法を用いて、精製した核酸を、ロボットで配置して、ポリマーコートされたスライドグラス上に固定する。顕微鏡スライドグラス（Ｃｏｒｎｉｎｇ， Ａｃｔｏｎ ＭＡ）を良く洗って０．１％のＳＤＳ中で超音波をかけ、４％フッ化水素酸（ＶＷＲ Ｓｃｉｅｎｔｉｆｉｃ Ｐｒｏｄｕｃｔｓ， Ｗｅｓｔ Ｃｈｅｓｔｅｒ ＰＡ）中でエッチングし、、９５％エタノール中で０．０５％アミノプロピルシラン（Ｓｉｇｍａ Ａｌｄｒｉｃｈ）を用いてコーティングする、そして１１０℃のオブンで硬化させることにより、ポリマーコートされたスライドグラスを準備する。スライドグラスを処理前後で蒸留水中で広範囲にわたって洗浄する。核酸をスライドグラス上に置き、次にＳＴＲＡＴＡＬＩＮＫＥＲ ＵＶ架橋剤（Ｓｔｒａｔａｇｅｎｅ）を用いてアレイをＵＶ照射に暴露することにより固定する。アレイを室温において０．２％ＳＤＳで洗浄し、蒸留水で３度洗浄する。リン酸緩衝生理食塩水 （ＰＢＳ）（Ｔｒｏｐｉｘ， Ｉｎｃ．， Ｂｅｄｆｏｒｄ ＭＡ）中の０．２％カゼイン中において６０℃で３０分間アレイをインキュベートした後、０．２％ＳＤＳ及び蒸留水で洗浄することにより、非特異結合部位をブロックする。
【０１３９】
ＴＡＱＭＡＮ分析のためのプローブ調製
製造者のプロトコルに従いＴＡＱＭＡＮ分析のためのプローブを調整した。
【０１４０】
膜ハイブリダイゼーションのプローブ調製
配列表のｃＤＮＡに由来するハイブリダイゼーションのプローブを使用して、膜系ハイブリダイゼーションでｃＤＮＡ、ｍＲＮＡまたはゲノムＤＮＡをスクリーニングする。ｃＤＮＡを４５ μｌ ＴＥ バッファーの濃度４０−５０ ｎｇに希釈してプローブを調製する。５分間１００℃に加熱し、短時間遠心分離して変性させる。次に変性したｃＤＮＡをＲＥＤＩＰＲＩＭＥ チューブ（ＡＰＢ）を加え、青色が均一に分布するまで軽く混合して、次に短時間遠心分離した。５μｌの［３２Ｐ］ｄＣＴＰを管に加え、含有物を３７℃で１０分インキュベートする。５μｌ の０．２Ｍ ＥＤＴＡを加えて標識化反応を停止する。そしてＰＲＯＢＥＱＵＡＮＴ Ｇ−５０ ｍｉｃｒｏｃｏｌｕｍｎ （ＡＰＢ）を用いてプローブを組み込まれていないヌクレオチドから精製する。精製したプローブを５分間１００℃に加熱する、そして２分間氷上で急速に冷却して、記載した膜系ハイブリダイゼーションで使用する。
【０１４１】
ポリマーコートされたスライドハイブリダイゼーションのプローブ調製
次の方法を使用して、表２に示されているマイクロアレイ分析のプローブ調製を行った。サンプルのｍＲＮＡに由来するハイブリダイゼーションのプローブを使用して、アレイベースのハイブリダイゼーションにおける配列表のｃＤＮＡをスクリーニングする。９μｌ ＴＥ バッファーで濃度２００ ｎｇにｍＲＮＡを希釈し、５μｌ ５ｘ バッファー１μｌ ０．１ Ｍ ＤＴＴ、３μｌ Ｃｙ３またはＣｙ５標識化混合、１μｌ ＲＮアーゼ阻害因子、１μｌ 逆転写酵素、５μｌ １ｘ 酵母調節ｍＲＮＡを加え、ＧＥＭｂｒｉｇｈｔキット（Ｉｎｃｙｔｅ Ｇｅｎｏｍｉｃｓ）を用いてプローブを調製する。非コード酵母ゲノムＤＮＡからｉｎ ｖｉｔｒｏ 転写により酵母調節ｍＲＮＡを合成する（Ｗ． Ｌｅｉ， ｕｎｐｕｂｌｉｓｈｅｄ）。定量調節として、サンプルｍＲＮＡに０．００２ ｎｇ、０．０２ ｎｇ、０．２ ｎｇ、２ ｎｇでの調節ｍＲＮＡの１つの設定をそれぞれ１：１００，０００、１：１０，０００、１：１０００、１：１００ （ｗ／ｗ）の比で逆転写反応混合に希釈する。ｍＲＮＡ示差発現パターンを調べるために、調節ｍＲＮＡの２番目の設定を１：３， ３：１， １：１０， １０：１， １：２５， ａｎｄ ２５：１ （ｗ／ｗ）の比で逆転写反応混合に希釈する。反応混合液を混合して、３７℃で２時間インキュベートする。次に反応混合液を２０分間、８５℃でインキュベートする。そして２つの連続するＣＨＲＯＭＡ ＳＰＩＮ＋ＴＥ ３０ カラム（Ｃｌｏｎｔｅｃｈ， Ｐａｌｏ Ａｌｔｏ ＣＡ）を利用してプローブを精製する。精製したプローブは、プローブをＤＥＰＣ処理水の９０μｌ に希釈させ、２μｌ １ｍｇ／ｍｌ グリコーゲン、６０μｌ ５ Ｍ 酢酸ナトリウム、３００μｌ １００％ エタノールを加えて、析出させたエタノールである。プローブを２０分間、２０，８００ｘｇで遠心分離する。そしてペレットを１２μｌの再懸濁バッファーで再懸濁し、５分間６５℃に加熱してから、十分に混合する。プローブを加熱して、以前のように混合して、氷上に格納する。以下に詳述するように、プローブを高密度アレイベースのハイブリダイゼーションにおいて使用する。
【０１４２】
膜系ハイブリダイゼーション
１％ Ｓａｒｋｏｓｙｌと１ｘ 高リン酸バッファ（０．５ Ｍ ＮａＣｌ， ０．１ Ｍ Ｎａ２ＨＰＯ４， ５ ｍＭ ＥＤＴＡ， ｐＨ ７） を含むハイブリダイゼーション溶液では、膜を前もってハイブリダイズする。１５ ｍｌの新鮮なハイブリダイゼーション溶液中で希釈されたプローブを次に膜に加える。膜をプローブと共に５５℃、１６時間、ハイブリダイズする。ハイブリダイゼーション後、１ｍＭ Ｔｒｉｓ （ｐＨ ８．０）， １％ Ｓａｒｋｏｓｙｌで１５分間、２５℃で膜を洗浄する。そして１ｍＭ Ｔｒｉｓ （ｐＨ ８．０）で、各回１５分間、２５℃で４回実施する。ハイブリダイゼーション化合物を検出するために、ＸＯＭＡＴ−ＡＲフィルム （Ｅａｓｔｍａｎ Ｋｏｄａｋ， Ｒｏｃｈｅｓｔｅｒ ＮＹ）を膜に一晩７０℃で暴露する。そして現像してから、視覚で確認する。
【０１４３】
ポリマーコートされたスライドハイブリダイゼーション
次の方法が、表２に示されているマイクロアレイ分析でを使用された。プローブを５分間６５℃に加熱してから、５４１５Ｃマイクロ遠心分離で５分間、９４００ ｒｐｍで遠心分離する（Ｅｐｐｅｎｄｏｒｆ Ｓｃｉｅｎｔｉｆｉｃ， Ｗｅｓｔｂｕｒｙ ＮＹ）。そして１８μｌ ｉｓをアレイ表面で等分して、カバーガラスで覆う。アレイは、顕微鏡スライドより僅かに大きい空洞を有する防水チェンバーに移す。チェンバーのコーナーに１４０μｌの５×ＳＳＣを加えることにより、チェンバー内部を湿度１００％に保持する。このアレイを含むチャンバーを、６０℃で約６．５時間インキュベートする。アッセイを１ｘＳＳＣ， ０．１％ ＳＤＳで４５℃、１０分間洗浄して、０．１ｘＳＳＣ、４５℃、１０分間３回洗浄した後に、乾燥した。
【０１４４】
ハイブリダイゼーション反応を絶対的または示差ハイブリダイゼーションフォーマットで実施する。絶対ハイブリダイゼーションフォーマットで、１つのサンプルのプローブをアレイエレメントにハイブリダイズする。そしてハイブリダイゼーション複合体形成後シグナルを検出する。シグナル強度が、サンプル中のプローブｍＲＮＡレベルと相関する。示差ハイブリダイゼーションフォーマットで、２つの生物サンプルでの遺伝子のセットの示差発現を分析する。２つのサンプルのプローブを調製して、異なる標識成分で標識化する。２つの標識されたプローブの混合液をアレイエレメントにハイブリダイズする。そして２つの異なる標識からの発光を個々に検出可能な条件下で２つの異なるシグナルを調べる。両方の生物サンプルから由来した同数のプローブにハイブリダイズするアレイ上のエレメントが、明確な結合した蛍光を与える（Ｓｈａｌｏｎ ＷＯ９５／３５５０５）。
【０１４５】
ハイブリダイゼーション複合体は、Ｃｙ３の励起のためには４８８ｎｍ、Ｃｙ５の励起のためには６３２ｎｍでスペクトル線を発生し得るＩｎｎｏｖａ ７０混合ガス１０ Ｗレーザ（Ｃｏｈｅｒｅｎｔ， Ｓａｎｔａ Ｃｌａｒａ ＣＡ）を備えた顕微鏡で検出する。２０×顕微鏡対物レンズ（Ｎｉｋｏｎ， Ｍｅｌｖｉｌｌｅ ＮＹ）を用いて、アレイ上に励起レーザ光の焦点を当てる。アレイを含むスライドを顕微鏡のコンピュータ制御のＸ−Ｙステージに置き、２０μｍの解像度で対物レンズを通過してラスタースキャンする。示差ハイブリダイゼーションフォーマットで、レーザにより２つの蛍光色素を同時に励起する。発光された光は、波長に基づき分離され、２つの蛍光色素に対応する２つの光電子増倍管検出器（ＰＭＴ Ｒ１４７７， Ｈａｍａｍａｔｓｕ Ｐｈｏｔｏｎｉｃｓ Ｓｙｓｔｅｍｓ， Ｂｒｉｄｇｅｗａｔｅｒ ＮＪ）に送られる。アレイと光電子増倍管間に設置されたフィルターを用いて、シグナルを分離する。用いる蛍光色素の最大発光の波長は、Ｃｙ３では５６５ｎｍ、Ｃｙ５では６５０ｎｍである。酵母調節ｍＲＮＡをプローブ混合液に加えて、シグナル強度を用いてスキャンの感度を較正する。アレイ上の特定の位置には相補的ＤＮＡ配列を含め、その位置におけるシグナルの強度がハイブリダイズする種の重量比１：１００，０００に相関するようにする。
【０１４６】
光電子増倍管の出力は、ＩＢＭコンパチブルＰＣコンピュータにインストールされた１２ビットＲＴＩ−８３５Ｈアナログ−ディジタル（Ａ／Ｄ）変換ボード（Ａｎａｌｏｇ Ｄｅｖｉｃｅｓ， Ｉｎｃ．， Ｎｏｒｗｏｏｄ ＭＡ）を用いてディジタル化される。ディジタル化されたデータは、青色（低シグナル）から赤色（高シグナル）までの擬似カラー範囲へのリニア２０色変換を用いてシグナル強度がマッピングされたようなイメージとして表示される。データは、定量的にも分析される。２つの異なる蛍光色素を同時に励起及び測定する場合には、各蛍光色素の発光スペクトルを用いて、データは先ず蛍光色素間の光学的クロストーク（発光スペクトルの重なりに起因する）を補正する。グリッドが蛍光シグナルイメージ上に重ねられ、それによって各スポットからのシグナルはグリッドの各エレメントに集められる。各エレメント内の蛍光シグナルは統合され、シグナルの平均強度に応じた数値が得られる。シグナル分析に用いるソフトウェアは、ＧＥＭＴＯＯＬＳプログラム（Ｉｎｃｙｔｅ Ｇｅｎｏｍｉｃｓ）である。
【０１４７】
溶液ベースのハイブリダイゼーション（ＴＡＱＭＡＮ）
製造者のプロトコル（Ａｐｐｌｉｅｄ Ｂｉｏｓｙｓｔｅｍｓ）に従い、ＴＡＱＭＡＮ分析のためのハイブリダイゼーション反応とハイブリダイゼーション複合体の検出を実施する。
【０１４８】
８  電子分析
ＢＬＡＳＴを用いて、ＧｅｎＢａｎｋやＬｉｆｅＳｅｑデータベース（Ｉｎｃｙｔｅ Ｇｅｎｏｍｉｃｓ）において同一または関連分子を検索した。ヒトおよびラット配列の積スコアを下記のようにして計算した。ＢＬＡＳＴスコアにヌクレオチド一致率を乗じ、積を（２つの配列の短い方の長さのの５倍）で除し、短い配列の長さへの１００％アラインメントが積スコアを１００にする。積スコアは２つの配列間の類似性の程度と配列一致の長さの両方を考慮する。例えば、積スコア４０で一致はエラ−が１％から２％以内の厳密さになり、少なくとも積スコア７０で一致は厳密となる。積スコアが８から４０の間を示す分子を選択して、類似または関連する分子を通常は同定する。
【０１４９】
図３で示すように、電子ノーザン分析を積スコア７０で実施した。ＬＩＦＥＳＥＱデータベースのすべての配列とｃＤＮＡライブラリを系、器官／組織、細胞のタイプにより分類した。分類には、心血管系、結合組織、消化器系、胎芽構造、内分泌系、外分泌腺、女性生殖器、男性生殖器、生殖細胞、血液及び免疫系、肝、筋骨格系、神経系、膵臓、呼吸器系、感覚器、皮膚、顎口腔系、非分類性／混合性または尿路がある。各カテゴリーでは、配列が発現したライブラリの数を数えて、そのカテゴリー内のライブラリの総数を示した。非ノーマライズしたライブラリでは、著しい発現はｃＤＮＡの示差発現の存在あるいは不存在を反映する可能性がある。
【０１５０】
９  相補的分子
ｃＤＮＡに相補的な分子、約５ （ＰＮＡ）から５０００ ｂｐ （ｃＤＮＡインサートの相補体）を用いて、遺伝子発現を検出あるいは阻害する。検出については、実施例７に記載されている。プロモーターが結合するのを妨げることにより転写を阻害するため、相補的分子を最も固有な５’ 配列に結合するよう設計する。そしてオープンリーディングフレームの開始コドンの５’ ＵＴＲ上流のヌクレオチドを含む。相補的分子にはゲノム配列（エンハンサーまたはイントロン等）があり、ポリメラーゼ、転写因子または調節分子の結合のために十分に開くような二重らせんの能力に影響を及ぼす「三重らせん」塩基対の形成に用いられる。翻訳を阻害するためには、相補的分子を設計して、リボソームがタンパク質をコードするｍＲＮＡに結合するのを阻害する。
【０１５１】
相補的分子を発現ベクターに置いて、一過性或いは短期治療向けに効果を試験するために細胞株を器官、腫瘍、滑腔また脈管系に、あるいは長期或いは安定した遺伝子治療向けに幹細胞、酵素または他の再生系統に形質転換するために用いる。非複製ベクターで一過性発現は１ヶ月以上続く、また形質転換／発現系でベクター複製を誘導するエレメントが用いられる場合は３ヶ月以上続く。
【０１５２】
相補的分子をコードするベクターを有する分裂する細胞の安定的な形質転換によって、遺伝形質転換細胞株、組織または生命体を産生する（ＵＳＰＮ ４，７３６，８６６）。安定した組込みを可能にする十分な量のベクターを同化、複製する細胞もタンパク質をコードするｃＤＮＡの活性に影響を及ぼすか完全に除くための十分な相補的分子を生成する。
【０１５３】
１０  ＥＣＭ関連タンパク質の発現
哺乳動物細胞発現系か昆虫細胞発現系のどちらかを用いて、タンパク質の発現と精製を達成する。ｐＵＢ６／Ｖ５−Ｈｉｓ ベクター系（Ｉｎｖｉｔｒｏｇｅｎ， Ｃａｒｌｓｂａｄ ＣＡ）を用いて、ＣＨＯ細胞のＥＣＭ関連タンパク質を発現する。ベクターは選択可能ｂｓｄ遺伝子、多数のクローニング部位、ヒトユビキシン Ｃ遺伝子のプロモーター／エンハンサー配列、抗−Ｖ５抗体での抗体検出のためのＣ−末端Ｖ５エピトープ、ＰＲＯＢＯＮＤ 樹脂（Ｉｎｖｉｔｒｏｇｅｎ）上での急速な精製のためのＣ−末端ポリヒスジン（６ｘＨｉｓ）配列を含む。形質移入した細胞を選択してブラストサイジンを含む培地に移す。
【０１５４】
Ｓｐｏｄｏｐｔｅｒａ ｆｒｕｇｉｐｅｒｄａ（Ｓｆ９）昆虫細胞を組換えＡｕｔｏｇｒａｐｈｉｃａ ｃａｌｉｆｏｒｎｉｃａ核多角体病ウイルス（ＡｃＭＮＰＶ）で感染させる。相同組換えによって多角体遺伝子をｃＤＮＡと置換する。多角体プロモーターによりｃＤＮＡの転写が行われる。上述の精製を可能にする６ｘｈｉｓで、融合タンパク質としてタンパク質を合成する。精製したタンパク質を次の活性で用いて、抗体を作製する。
【０１５５】
１１  抗体の産生
ポリアクリルアミドゲル電気泳動法を用いてＥＣＭ関連タンパク質を精製して、マウスやウサギを免疫化するために使用する。下記のプロトコルを用いて抗体を産生する。或いは、レーザＧＥＮＥソフトウェア（ＤＮＡＳＴＡＲ）を用いてＥＣＭ関連タンパク質のアミノ酸配列を解析し、免疫抗原性の高い領域を決定する。通常Ｃ−末端付近或いは隣接する親水性領域内で見られる抗原性エピトープを選択して、合成し、抗体を生成するために用いられる。 通常は、長さ約１５残基のエピトープを、Ｆｍｏｃケミストリを用いるＡＢＩ ４３１Ａ ペプチドシンセサイザ（Ａｐｐｌｉｅｄ Ｂｉｏｓｙｓｔｅｍｓ）を用いて生成し、Ｎ−マレイミドベンゾイル−Ｎ−ヒドロキシスクシンイミドエステル（ＭＢＳ）を用いた反応によってＫＬＨ（Ｓｉｇｍａ−Ａｌｄｒｉｃｈ）に結合させて、免疫抗原性を高める。
【０１５６】
完全フロイントアジュバントにおいてエピトープ−ＫＬＭ複合体を用いてウサギを免疫化する。不完全フロイントアジュバントにおいて免疫化を間隔を置いて反復する。マウスには最低７週間、ウサギには最低１２週間後、抗血清を抽出して、抗ペプチド活性のために検査した。検査には、ペプチドをプラスチックに結合すること、１％のウシ血清アルブミンでブロックすること、ウサギ抗血清と反応させて洗浄すること、さらに放射性ヨウ素標識されたヤギ抗ウサギＩｇＧと反応させることが関係する。当分野で公知の方法を用いて、抗体価と形成複合体の量を決定する。
【０１５７】
１２  特異的抗体を用いる天然タンパク質の精製
タンパク質を特異結合する抗体を用いて、イムノアフィニティークロマトグラフィにより天然あるいは組換えタンパク質を精製する。ムノアフィニティーカラムは、ＣＮＢｒ−活性化ＳＥＰＨＡＲＯＳＥ樹脂（ＡＰＢ）に抗体を共有結合させることにより形成する。タンパク質を含む培養液をイムノアフィニティーカラムに通し、タンパク質を優先的に吸着する条件下（例えば洗浄剤が存在する高イオン強度緩衝液）でカラムを洗浄する。結合後、そのタンパク質を、抗体とタンパク質との結合を切るために、例えば、ｐＨ２〜３のバッファー、或いは高濃度の尿素またはチオシアン酸塩イオンを用いてカラムから溶出させ、タンパク質を回収する。
【０１５８】
１３  ｃＤＮＡまたはタンパク質と特異結合するためのスクリーニング分子
ｃＤＮＡまたはその断片、タンパク質またはその部分を３２Ｐ−ｄＣＴＰ、Ｃｙ３−ｄＣＴＰまたはＣｙ５−ｄＣＴＰ （ＡＰＢ）あるいはＢＩＯＤＩＰＹかＦＩＴＣ （Ｍｏｌｅｃｕｌａｒ Ｐｒｏｂｅｓ， Ｅｕｇｅｎｅ ＯＲ）で標識化する。前もって基質上に配置した候補分子または複合体のライブラリを標識したｃＤＮＡまたはタンパク質の存在下でインキュベートする。核酸配列かアミノ酸配列のための条件下でインキュベート後、基質を洗浄し、特異結合か複合体成形を示す、標識を保持する基質上の任意の位置でアッセイする。そしてリガンドを同定する。異なる濃度の核酸またはタンパク質を用いて得られたデ−タを使用して、標識された核酸かタンパク質と結合した分子の間の親和性を計算する。
【０１５９】
１４  ２つのハイブリッドスクリーン
酵母２ハイブリッドシステム、ＭＡＴＣＨＭＡＫＥＲ ＬｅｘＡ ２ハイブリッドシステム（Ｃｌｏｎｔｅｃｈ Ｌａｂｏｒａｔｏｒｉｅｓ， Ｐａｌｏ Ａｌｔｏ ＣＡ）を使用して、本発明のタンパク質を結合するペプチドをスクリーニングする。タンパク質をコードするｃＤＮＡをｐＬｅｘＡベクター、リガンドの多数のクローニング部位に挿入して、大腸菌に形質転換する。ＭＲＮＡから調製したｃＤＮＡをｐＢ４２ＡＤベクター、リガンドの多数のクローニング部位に挿入して、ｃＤＮＡライブラリを作製するために大腸菌に形質転換する。ｐＬｅｘＡプラスミドとｐＢ４２ＡＤ−ｃＤＮＡライブラリ作製を大腸菌から単離する。またポリエチレングリコール／リチウムアセテートプロトコルを用いてコンピテント酵母ＥＧＹ４８［ｐ８ｏｐ−ｌａｃＺ］細胞を同時形質転換する比率２：１で使用する。形質転換した酵母細菌を、ヒスチジン（−Ｈｉｓ）、トリプトファン（−Ｔｒｐ）、ウラシル（−Ｕｒａ）を含まない合成ドロップアウト（ＳＤ）培地で培養する、そしてコロニ−が成長して数えられるまで、３０℃でインキュベートする。コロニ−を最小限の容積の１ｘ ＴＥ （ｐＨ ７．５）で集め、２％ ガラクトース（Ｇａｌ）， １％ ラフィノース（Ｒａｆ）、８０ ｍｇ／ｍｌ ５−ブロモ−４−クロロ−３−インドリル β−ｄ−ガラクトピラノシド（Ｘ−Ｇａｌ）で補われるＳＤ／−Ｈｉｓ／−Ｌｅｕ／−Ｔｒｐ／−Ｕｒａ 培地で再培養する。次いで青色コロニ−の成長のために検査する。発現したタンパク質とｃＤＮＡ融合タンパク質間の相互作用により、ＥＧＹ４８のＬＥＵ２レポーター遺伝子を活性化する。またロイシン（−Ｌｅｕ）を含まない培地でコロニ−成長を生成する。相互作用により、Ｘ−Ｇａｌで成長するコロニ−の青色コロニ−を産生するｐ８ｏｐ−ｌａｃＺレポーター作成物からのβ−ガラクトシダーゼの発現を活性化する。
【０１６０】
発現したタンパク質とｃＤＮＡ融合タンパク質間の陽性の相互作用が、個々の陽性コロニ−を単離して、３０℃で１から２日間、ＳＤ／−Ｔｒｐ／−Ｕｒａ 液体で成育することにより多様化する。培地のサンプルをＳＤ／−Ｔｒｐ／−Ｕｒａ培地で培養する、そしてコロニ−が出現するまで３０℃でインキュベートする。サンプルをＳＤ／−Ｔｒｐ／−ＵｒａとＳＤ／−Ｈｉｓ／−Ｔｒｐ／−Ｕｒａ プレートで複製培養する。ヒスチジンを含まない培地ではなく、ヒスチジンを含むＳＤで成育するコロニーは、ｐＬｅｘＡプラスミドを失った。ヒスチジンを必要とするコロニーをＳＤ／Ｇａｌ／Ｒａｆ／Ｘ−Ｇａｌ／−Ｔｒｐ／−Ｕｒで成育する。そして白色コロニーを単離して、増殖する。タンパク質と物理的に相互作用するタンパク質をコードするｃＤＮＡｐＢ４２ＡＤ−ｃＤＮＡプラスミドを酵母細胞から単離して、特徴付ける。
【０１６１】
１５  ＥＣＭ関連タンパク質アッセイ
１２５Ｉ−標識されたＥＣＭ関連タンパク質の存在下で候補リガンド分子を用いてＥＣＭＲＰ結合活性をリガンド結合アッセイで決定する。ＥＣＭ関連タンパク質を、１２５Ｉボルトンハンター試薬で標識する（Ｂｏｌｔｏｎ Ａ．Ｅ．および Ｗ．Ｍ． Ｈｕｎｔｅｒ （１９７３） Ｂｉｏｃｈｅｍ． Ｊ． １３３：５２９−５３９）。候補リガンド分子をマルチウェルプレートの各ウェルに注入し、標識したＥＣＭ関連タンパク質と共にインキュベートし、次に洗浄し、標識したＥＣＭ関連タンパク質複合体が存在するウェルをアッセイする。ＥＣＭ関連タンパク質濃度を変えて得たデータを用いて、候補分子とのＥＣＭ関連タンパク質の数、親和性及び会合の値を計算する。
【０１６２】
本明細書において記載した全ての特許出願、刊行物は、言及することをもって本明細書の一部とする。当業者は、本発明の範囲及び精神から逸脱することなく本発明の記載した方法及びシステムの種々の改変を行い得る。本発明について説明するにあたり特定の好適実施例に関連して説明を行ったが、本発明の範囲が、そのような特定の実施例に不当に制限されるべきではないことを理解されたい。実際に、分子生物学または関連分野の専門家には明らかな、本明細書に記載されている本発明の実施方法の様々な改変は、特許請求の範囲内にあるものとする。
【０１６３】
【図面の簡単な説明】
【図１Ａ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｂ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｃ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｄ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｅ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｆ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｇ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｈ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｉ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｊ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図１Ｋ】
図はｃＤＮＡ （ＳＥＱ ＩＤ ＮＯ：２）によってコードされたＥＣＭ関連タンパク質（ＳＥＱ ＩＤ ＮＯ：１）を示す。アラインメントはＭＡＣＤＮＡＳＩＳ ＰＲＯソフトウェア（日立ソフトウェアエンジニアリング， Ｓｏｕｔｈ Ｓａｎ Ｆｒａｎｃｉｓｃｏ ＣＡ）を用いて作成した。
【図２】
図２は多様な正常な成熟した組織のＥＣＭＲＰの発現を示す。Ｘ軸は組織のタイプ、Ｙ軸は正常な結腸組織に見られるものに比較してＥＣＭＲＰの発現を示す（１００％など）。分析はＴＡＱＭＡＮ（Ａｐｐｌｉｅｄ Ｂｉｏｓｙｓｔｅｍｓ， Ｆｏｓｔｅｒ Ｃｉｔｙ ＣＡ）によって実施された。
【図３】
図３は正常な結腸組織と比較して結腸癌を有する患者の組織のＥＣＭＲＰの示差発現を示す。Ｘ軸は患者ＩＤ（供与者ＩＤ）、Ｙ軸は供与者ＩＤ３５８２の腫瘍組織での観察との比較で発現ＥＣＭＲＰを示す（例えば１００％）。腫瘍サンプルは黒で表示され、正常な組織は白で表示される。分析はＴＡＱＭＡＮ（Ａｐｐｌｉｅｄ Ｂｉｏｓｙｓｔｅｍｓ）によって実施された。
【０１６６】
（表の簡単な説明）
表１は、ＬＩＦＥＳＥＱ Ｇｏｌｄ ｄａｔａｂａｓｅ（Ｉｎｃｙｔｅ Ｇｅｎｏｍｉｃｓ， Ｐａｌｏ Ａｌｔｏ ＣＡ）を使用して作製したＥＣＭＲＰのノーザン分析を示す。列１は組織のカテゴリー、列２は組織のカテゴリーのクローニングの数、列３はカテゴリーのライブラリの総数に対して少なくとも１つの転写が見られるライブラリの数、列４は転写の絶対存在度（転写の数）、列５は転写の％存在度を示す。
【０１６７】
表２は、アレイ分析によって決定した正常な結腸と肺の組織に対する結腸と肺の癌を有する患者の組織のＥＣＭＲＰの示差発現を示す。列１は腫瘍サンプルと正常な組織の間の示差発現（ＤＥ）を示す。結果は腫瘍／正常発現の比という形で発現する。列２（Ｐ１説明）は、微視的には蛍光性緑色染料Ｃｙ３で標識する正常なサンプルの組織と患者供与者（Ｄｎ）を示す。列３（Ｐ２説明）は、蛍光性赤色染料Ｃｙ５で標識する病変サンプル（結腸腫瘍または結腸ポリープ、肺腫瘍）の組織と患者供与者（Ｄｎ）を示す。
【表１】2004516813.tif 000004
【表２】2004516813.tif 000005
【図１Ａ】
2004516813.tif 000006
【図１Ｂ】
2004516813.tif 000007
【図１Ｃ】
2004516813.tif 000008
【図１Ｄ】
2004516813.tif 000009
【図１Ｅ】
2004516813.tif 000010
【図１Ｆ】
2004516813.tif 000011
【図１Ｇ】
2004516813.tif 000012
【図１Ｈ】
2004516813.tif 000013
【図１Ｉ】
2004516813.tif 000014
【図１Ｊ】
2004516813.tif 000015
【図１Ｋ】
2004516813.tif 000016
【図２】
2004516813.tif 000017
【図３】
2004516813.tif 000018
【国際公開パンフレット】
2004516813.tif 000019
2004516813.tif 000020
2004516813.tif 000021
2004516813.tif 000022
2004516813.tif 000023
2004516813.tif 000024
2004516813.tif 000025
2004516813.tif 000026
2004516813.tif 000027
2004516813.tif 000028
2004516813.tif 000029
2004516813.tif 000030
2004516813.tif 000031
2004516813.tif 000032
2004516813.tif 000033
2004516813.tif 000034
2004516813.tif 000035
2004516813.tif 000036
2004516813.tif 000037
2004516813.tif 000038
2004516813.tif 000039
2004516813.tif 000040
2004516813.tif 000041
2004516813.tif 000042
2004516813.tif 000043
2004516813.tif 000044
2004516813.tif 000045
2004516813.tif 000046
2004516813.tif 000047
2004516813.tif 000048
2004516813.tif 000049
2004516813.tif 000050
2004516813.tif 000051
2004516813.tif 000052
2004516813.tif 000053
2004516813.tif 000054
2004516813.tif 000055
2004516813.tif 000056
2004516813.tif 000057
2004516813.tif 000058
2004516813.tif 000059
2004516813.tif 000060
2004516813.tif 000061
2004516813.tif 000062
2004516813.tif 000063
2004516813.tif 000064
2004516813.tif 000065
2004516813.tif 000066
2004516813.tif 000067
2004516813.tif 000068
2004516813.tif 000069
2004516813.tif 000070
2004516813.tif 000071
2004516813.tif 000072
2004516813.tif 000073
2004516813.tif 000074
2004516813.tif 000075
2004516813.tif 000076
2004516813.tif 000077
2004516813.tif 000078
2004516813.tif 000079
2004516813.tif 000080
2004516813.tif 000081
2004516813.tif 000082
2004516813.tif 000083
【国際公開パンフレット（コレクトバージョン）】
2004516813.tif 000084
2004516813.tif 000085
【国際調査報告】
2004516813.tif 000086
2004516813.tif 000087
2004516813.tif 000088